(57)【特許請求の範囲】
【請求項１】
高効率キャリア動作のためのネットワークノード（１４）のための方法であって、
高効率キャリア動作において全セル帯域幅にわたってリファレンス信号を送信するための少なくとも１つの第１の時間ピリオドを識別することと、
高効率キャリア動作のための低減帯域幅にわたって前記リファレンス信号を送信するための少なくとも１つの第２の時間ピリオドを識別することと、
識別された前記少なくとも１つの第１の時間ピリオドにおいて送信される前記リファレンス信号及び識別された前記少なくとも１つの第２の時間ピリオドにおいて送信される前記リファレンス信号について少なくとも１つのキャリア周波数の範囲内で推定されるエネルギーレベルの間の関係に基づいてワイヤレスデバイスが前記少なくとも１つのキャリア周波数上で少なくとも１つのセルが動作しているかを判定できるように、識別された前記少なくとも１つの第１の時間ピリオド及び識別された前記少なくとも１つの第２の時間ピリオドに少なくとも部分的に基づく帯域幅パターンに従ってリファレンス信号を送信することと、
を含む方法。
【請求項２】
請求項１に記載の方法であって、前記低減帯域幅は、前記全セル帯域幅よりも小さい、方法。
【請求項３】
請求項１又は２に記載の方法であって、送信される前記リファレンス信号は、セル固有リファレンス信号（ＣＲＳ）を含む、方法。
【請求項４】
請求項１〜３のいずれか１項に記載の方法であって、前記帯域幅パターンは、周期性を含む、方法。
【請求項５】
請求項４に記載の方法であって、前記周期性は、２０ミリ秒（ｍｓ）である、方法。
【請求項６】
請求項４に記載の方法であって、前記周期性は、１０ミリ秒（ｍｓ）である、方法。
【請求項７】
請求項４〜６のいずれか１項に記載の方法であって、前記周期性は、ランダムアクセス（ＲＡ）手続及びシステム情報ブロック（ＳＩＢ）送信時間長のうちの少なくとも一方に少なくとも部分的に基づく、方法。
【請求項８】
請求項１〜７のいずれか１項に記載の方法であって、高効率キャリア動作において前記全セル帯域幅にわたって前記リファレンス信号を送信するための前記少なくとも１つの第１の時間ピリオドは、１ミリ秒に相当する、方法。
【請求項９】
請求項１〜８のいずれか１項に記載の方法であって、
前記帯域幅パターンに従って前記リファレンス信号が送信される結果として、ワイヤレスデバイス（ＷＤ）（１６）についての初期アクセスリクエストを受信すること、
をさらに含む、方法。
【請求項１０】
高効率キャリア動作のためのネットワークノード（１４）であって、
処理回路（２２）を備え、前記処理回路（２２）は、前記ネットワークノード（１４）に、
高効率キャリア動作において全セル帯域幅にわたってリファレンス信号を送信するための少なくとも１つの第１の時間ピリオドを識別することと、
高効率キャリア動作のための低減帯域幅にわたって前記リファレンス信号を送信するための少なくとも１つの第２の時間ピリオドを識別することと、
識別された前記少なくとも１つの第１の時間ピリオドにおいて送信される前記リファレンス信号及び識別された前記少なくとも１つの第２の時間ピリオドにおいて送信される前記リファレンス信号について少なくとも１つのキャリア周波数の範囲内で推定されるエネルギーレベルの間の関係に基づいてワイヤレスデバイスが前記少なくとも１つのキャリア周波数上で少なくとも１つのセルが動作しているかを判定できるように、識別された前記少なくとも１つの第１の時間ピリオド及び識別された前記少なくとも１つの第２の時間ピリオドに少なくとも部分的に基づく帯域幅パターンに従ってリファレンス信号を送信することと、
を行わせるように構成される、ネットワークノード（１４）。
【請求項１１】
高効率キャリア動作のためのワイヤレスデバイス（ＷＤ）（１６）のための方法であって、
少なくとも第１の時間ピリオド及び前記第１の時間ピリオドとは異なる第２の時間ピリオドを判定することと、
少なくとも１つのキャリア周波数の範囲内で前記第１の時間ピリオドにわたって第１のエネルギーレベルを推定することと、
前記少なくとも１つのキャリア周波数の範囲内で少なくとも１回の前記第２の時間ピリオドにわたって少なくとも１つの第２のエネルギーレベルを推定することと、
推定された前記第１のエネルギーレベルと推定された前記少なくとも１つの第２のエネルギーレベルとの間の関係に少なくとも部分的に基づいて、前記キャリア周波数上で少なくとも１つのセルが動作しているかを判定することと、
前記キャリア周波数上で前記少なくとも１つのセルが動作しているかの判定に基づいて、前記キャリア周波数上でセルサーチを実行することと、
を含む方法。
【請求項１２】
請求項１１に記載の方法であって、前記第２の時間ピリオドは、前記第１の時間ピリオドよりも少ない、方法。
【請求項１３】
請求項１１に記載の方法であって、前記少なくとも１つの第２のエネルギーレベルを推定することは、
前記キャリア周波数の範囲内で複数回続く前記第２の時間ピリオドにわたって前記少なくとも１つの第２のエネルギーレベルを推定すること、
をさらに含む、方法。
【請求項１４】
請求項１１〜１３のいずれか１項に記載の方法であって、推定された前記第１のエネルギーレベルと推定された前記少なくとも１つの第２のエネルギーレベルとの間の前記関係を、推定された前記少なくとも１つの第２のエネルギーレベルを推定された前記第１のエネルギーレベルと比較することにより判定すること、をさらに含む、方法。
【請求項１５】
請求項１１〜１４のいずれか１項に記載の方法であって、推定された前記少なくとも１つの第２のエネルギーレベルと推定された前記第１のエネルギーレベルとの間の差が少なくとも予め決定された条件を充足する場合に、前記キャリア周波数上で前記少なくとも１つのセルが動作していると判定すること、を含む、方法。
【請求項１６】
請求項１１〜１５のいずれか１項に記載の方法であって、推定された前記少なくとも１つの第２のエネルギーレベルと推定された前記第１のエネルギーレベルとの間の差が少なくとも予め決定された条件を充足しない場合に、前記キャリア周波数上で前記少なくとも１つのセルが動作していないと判定すること、を含む、方法。
【請求項１７】
請求項１１〜１６のいずれか１項に記載の方法であって、前記第１の時間ピリオド及び前記第２の時間ピリオドは、高効率キャリア動作における全セル帯域幅にわたるリファレンス信号送信に少なくとも部分的に基づく帯域幅パターンに対応する、方法。
【請求項１８】
請求項１１〜１７のいずれか１項に記載の方法であって、判定された前記第１の時間ピリオドは、高効率キャリア動作における全セル帯域幅にわたるリファレンス信号送信のための周期性に対応する、方法。
【請求項１９】
請求項１７又は１８に記載の方法であって、判定された前記第２の時間ピリオドは、高効率キャリア動作における低減帯域幅にわたるリファレンス信号送信のための時間長に対応する、方法。
【請求項２０】
請求項１９に記載の方法であって、前記低減帯域幅は、前記全セル帯域幅よりも小さい、方法。
【請求項２１】
請求項１８〜２０のいずれか１項に記載の方法であって、前記リファレンス信号送信は、ネットワークノード（１４）によるセル固有リファレンス信号（ＣＲＳ）送信である、方法。
【請求項２２】
請求項１８に記載の方法であって、高効率キャリア動作における前記全セル帯域幅にわたる前記リファレンス信号送信の前記周期性は、２０ミリ秒（ｍｓ）である、方法。
【請求項２３】
請求項１８に記載の方法であって、高効率キャリア動作における前記全セル帯域幅にわたる前記リファレンス信号送信の前記周期性は、１０ミリ秒（ｍｓ）である、方法。
【請求項２４】
請求項１９に記載の方法であって、高効率キャリア動作における前記全セル帯域幅にわたる前記リファレンス信号送信のための前記時間長は、１ミリ秒（ｍｓ）である、方法。
【請求項２５】
請求項１１〜２４のいずれか１項に記載の方法であって、前記第１の時間ピリオド及び前記第２の時間ピリオドのうちの少なくとも一方は、ランダムアクセス（ＲＡ）の周期性及びシステム情報ブロック（ＳＩＢ）の周期性のうちの一方に対応する、方法。
【請求項２６】
請求項１１〜２５のいずれか１項に記載の方法であって、前記キャリア周波数上で前記少なくとも１つのセルが動作しているかの前記判定に基づいて、前記キャリア周波数上で前記セルサーチを実行することは、
前記キャリア周波数上で前記少なくとも１つのセルが動作していると判定することに応じて、前記キャリア周波数上で前記セルサーチを実行すること、
を含む、方法。
【請求項２７】
請求項１１〜２６のいずれか１項に記載の方法であって、前記第１の時間ピリオド及び前記第２の時間ピリオドの各々は、予め決定される時間ピリオドである、方法。
【請求項２８】
請求項１１〜２７のいずれか１項に記載の方法であって、
前記第１の時間ピリオドにわたって前記第１のエネルギーレベルを推定することは、前記第１の時間ピリオドにわたってパワースペクトル密度（ＰＳＤ）を推定することを含み、
前記少なくとも１回の前記第２の時間ピリオドにわたって前記少なくとも１つの第２のエネルギーレベルを推定することは、前記第２の時間ピリオドにわたってＰＳＤを推定することを含み、前記第１の時間ピリオド及び前記第２の時間ピリオドの各々は１ミリ秒に相当する、
方法。
【請求項２９】
高効率キャリア動作のためのワイヤレスデバイス（ＷＤ）（１６）であって、処理回路（４２）を備え、前記処理回路（４２）は、前記ＷＤ（１６）に、
少なくとも第１の時間ピリオド及び前記第１の時間ピリオドとは異なる第２の時間ピリオドを判定することと、
少なくとも１つのキャリア周波数の範囲内で前記第１の時間ピリオドにわたって第１のエネルギーレベルを推定することと、
前記少なくとも１つのキャリア周波数の範囲内で少なくとも１回の前記第２の時間ピリオドにわたって少なくとも１つの第２のエネルギーレベルを推定することと、
推定された前記第１のエネルギーレベルと推定された前記少なくとも１つの第２のエネルギーレベルとの間の関係に少なくとも部分的に基づいて、前記キャリア周波数上で少なくとも１つのセルが動作しているかを判定することと、
前記キャリア周波数上で前記少なくとも１つのセルが動作しているかの前記判定に基づいて、前記キャリア周波数上でセルサーチを実行することと、
を行わせるように構成される、ＷＤ（１６）。
【発明の詳細な説明】
【技術分野】
【０００１】
本開示は、ワイヤレス通信に関連し、具体的には、低減帯域幅上でリファレンス信号が送信される際の帯域スキャニングのための方法及び装置に関連する。
【背景技術】
【０００２】
いくつかのワイヤレス通信ネットワーク技術は、セルサーチを活用して、ワイヤレスデバイスとネットワークノードとの間の通信をサポートしている。周波数サーチは、セルサーチ手続全体の一部である。それに伴い言われていることとして、周波数サーチに関連するいくつかの根本的な概念はチャネルラスタ及びチャネルナンバリングを含み、それらが周波数サーチの性能に影響を与える。
【０００３】
［チャネルラスタ］
キャリア周波数の中央のサーチ又はいわゆる初期セルサーチを簡略化する目的で、無線チャネルの中央周波数は、良好に定義され概して固定された数の整数倍となるように仕様化されており、チャネルラスタと呼ばれる。チャネルラスタは、ユーザ機器（ＵＥ）のようなワイヤレスデバイス（ＷＤ）がラスタ点のうちの１つをサーチ対象のチャネルの中央周波数であると仮定してそこに対してのみ自身の局部発振器をチューニングすることを可能にする。一例として、ＬＴＥ（Long-Term Evolution）では、全てのチャネル（即ち、全ての帯域幅）についてのチャネルラスタは１００ＫＨｚである。
【０００４】
［セルサーチ手続］
ＧＳＭ（Global System for Mobile Communication）、ＵＴＲＡ（Universal Terrestrial Radio Access）、Ｅ−ＵＴＲＡ（Evolved Universal Terrestrial Radio Access）及びＮＲ（New Radio）のような次世代の無線アクセス技術といった、多くの技術において、ＷＤは、階層的なやり方でセルをサーチし、これは階層的セルサーチ手続として言及されることがある。これは、典型的にはＷＤが周波数同期、セルフレームタイミング、及びセルの物理アイデンティティを連動して取得することを意味する。これらの概念が以下のセクションにおいて議論される。
【０００５】
［周波数サーチ又は帯域スキャニング］
ＷＤは、電源をオンされると、まず周波数帯域内のすべてのあり得る周波数（又はチャネル）のリストをサーチする。目的は、ある領域における使用に最も適した周波数チャネルを、特定の周波数帯域の範囲内で見つけ出すことである。最初に、ＷＤは、典型的には、周波数帯域の範囲内のあり得るキャリア周波数ごとにサーチを行い、ＷＤ帯域幅の範囲内（又は、周波数帯域に依存して、システム帯域幅の範囲内）のキャリア周波数にわたって受信されたエネルギーを推定し又は検知する。これは、初期セルサーチ、帯域スキャニング、又は周波数スキャニングと呼ばれることがある。検知されたエネルギーレベルが、ダウンリンク（ＤＬ）送信、即ちネットワークノードからＷＤへの送信が存在することを示している場合、ＷＤは、次のセクションで説明するようなセルサーチの次のステップを進める。
【０００６】
周波数サーチの複雑さは、スキャンスべき周波数帯域の数に伴い、及び各帯域内のキャリアの数の増加にも伴って、比例的に増加し得る。
【０００７】
［セルタイミング及びセルＩＤの取得］
この段階又はステップで、ＷＤは、残りのタスクを進め、より具体的には、セルタイミング、及び周波数サーチの期間中に見つけ出した同一の周波数チャネル上で動作している隣接セルのセル識別（ＩＤ）を取得する。周波数サーチの期間中に、ＷＤは、概して、最も強いセルのタイミングをも検知する。しかし、これは周波数サーチのために使用される固有のアルゴリズムに大きく依存し得る。例えば、ＷＤは、典型的には、ある中央周波数を仮定しながら同期シーケンスにわたる相関演算を行う。
【０００８】
いずれのケースでも、周波数同期を取得した後に、ＷＤは、隣接セルサーチの実行を続ける。したがって、ＷＤは、セルタイミング、及び取得したキャリア周波数上で動作しているセルの物理ＩＤの発見を継続的に試行する。
【０００９】
［リファレンス信号ミューティング］
ＬＴＥでは、リリース８から、全システム帯域幅を用いて無線フレーム内の全てのＤＬサブフレームにおいて基地局によりセル固有リファレンス信号（ＣＲＳ）が送信される。ＣＲＳは、いくつかの手続のためにＷＤにより使用される。そうした手続の例は、時間及び／若しくは周波数追跡又は同期、チャネル推定、無線リンク品質測定、セル選択、並びにセル再選択などである。
【００１０】
しかしながら、ＣＲＳは、ＷＤによりあらゆる時点で使用されるわけではない。あるセルにおける全システム帯域幅での継続的なＣＲＳ送信は、隣接セルにおいて動作するＷＤにおける干渉を引き起こし得る。ＣＲＳ送信は、基地局（ＢＳ）の電力も消費する。したがって、ある例において、不連続受信（ＤＲＸ）の非アクティブ時間（例えば、ＯＦＦ期間）の期間中にセル内で最小限の帯域幅（例えば、１．４ＭＨｚ）の外側でＣＲＳをミューティングすることができ、及び、ＤＲＸサイクルのアクティブ時間（例えば、ＯＮ期間）の期間中に全帯域幅（ＢＷ）にわたってＣＲＳを送信することができる。
【００１１】
図１は、ＣＲＳミューティング動作の１つの例を示している。“ミューティングされるＣＲＳ”との用語は、ウォームアップ及びクールダウンピリオドを除く、ＤＲＸの非アクティブ時間の期間中の低減されたＣＲＳ帯域幅（例えば、セル帯域幅（ＢＷ）内の中央の６リソースブロック（ＲＢ）上）を用いたＣＲＳの送信をいう。ウォームアップピリオド及びクールダウンピリオドは、典型的には、非アクティブ時間の期間中に生じ、例えば図１に示したように、その期間中に、セルの全ＢＷにわたって又はより大きい帯域幅にわたってＣＲＳが送信される。特殊ケースとして、ウォームアップピリオド及び／又はクールダウンピリオドをゼロとすることができる。少なくともＤＲＸのアクティブ時間の期間中に、ＣＲＳは、全帯域幅、又は低減されたＣＲＳ帯域幅と比較してより大きい帯域幅にわたって送信される。これは、高効率（lean）キャリア動作、リファレンス信号（ＲＳ）ミューティング又はＣＲＳミューティングとも呼ばれる。高効率キャリア動作は、ＤＲＸ及び／又は拡張ＤＲＸ（ｅＤＲＸ）サイクルが使用される場合に適用される。
【００１２】
［ＤＲＸサイクル動作］
ＬＴＥにおいて、ＤＲＸサイクルは、ＷＤがバッテリ電力を節約することを可能にするために使用される。ＤＲＸサイクルは、無線リソース制御（ＲＲＣ）アイドル状態において使用されるが、ＲＲＣ接続状態において使用されることもできる。ＲＲＣアイドル状態において現在使用されているＤＲＸサイクルに対応する時間長の例は、３２０ミリ秒（ｍｓ）、６４０ｍｓ、１．２８秒（ｓ）及び２．５６ｓを含む。ＲＲＣ接続状態において現在使用されているＤＲＸサイクルに対応する時間長の例は、２ｍｓから２．５６ｓの範囲内であり得る。ｅＤＲＸサイクルは、非常に長いものと予期されている（例えば、数秒から数分、場合によっては１時間以上まで）。ｅＤＲＸサイクルの典型的な値は、４〜１０分の間であり得る。
【００１３】
ＤＲＸサイクルは、ネットワークノードによって構成され、少なくとも以下のパラメータによって特徴付けられ得る：
【００１４】
オン期間（On-duration）：ＤＲＸサイクルのオン期間の間、ネットワークノードにより構成されるタイマ（“オン期間タイマ（onDurationTimer）”という）が稼働中となる。このタイマは、ＤＲＸサイクルの開始時の連続する制御チャネルサブフレーム（例えば、物理ダウンリンク制御チャネル（ＰＤＣＣＨ）、又は拡張物理ダウンリンク制御チャネル（ｅＰＤＣＣＨ）サブフレーム）の数を特定する。それは、互換可能に、ＤＲＸオンピリオドともいう。より具体的には、制御チャネル（例えば、ＰＤＣＣＨ、ｅＰＤＣＣＨ）を受信するためにＤＲＸからウェイクアップした後にＷＤが復号する必要のある連続するダウンリンクサブフレームの数の観点での時間長である。これにより、ＷＤは、少なくともＤＲＸサイクルのＤＲＸオン期間の期間中に自身の受信機をターンオンすることを要する。オン期間タイマが稼働している場合、ＷＤは、ＤＲＸサイクルのＤＲＸ状態にあるものと見なされる。
【００１５】
ＤＲＸ非アクティビティタイマ（DRX-inactivity timer）：ＷＤは、オン期間の期間中に成功裏に制御チャネル（例えば、ＰＤＣＣＨ、ｅＰＤＣＣＨ、マシンタイプ物理ダウンリンク制御チャネル（ＭＰＤＣＣＨ）、狭帯域物理ダウンリンク制御チャネル（ＮＰＤＣＣＨ）など）を復号すると、ＤＲＸ非アクティビティタイマ（下記参照）を始動し、それが満了するまで起きたままとなる。ＤＲＸ非アクティビティタイマは、初期のアップリンク（ＵＬ）又はダウンリンク（ＤＬ）ユーザデータ送信を制御チャネルがそのＭＡＣエンティティ向けに示すサブフレームの後の、連続する制御チャネル（例えば、ＰＤＣＣＨ、ｅＰＤＣＣＨ）サブフレームの数を特定する。それは、ネットワークノードによっても構成される。ＤＲＸ非アクティビティタイマが稼働している場合、ＷＤは、非ＤＲＸ状態にある、即ちＤＲＸが使用されていないと見なされる。
【００１６】
ＤＲＸアクティブ時間（DRX active time）：ＤＲＸアクティブ時間は、ＷＤが制御チャネル（例えば、ＰＤＣＣＨ、ｅＰＤＣＣＨ、ＭＰＤＣＣＨ、ＮＰＤＣＣＨなど）を監視する期間である。言い換えると、これはＷＤの受信機がアクティブであり又は起きている合計の期間である。これは、ＤＲＸサイクルの“オン期間”、ＤＲＸ非アクティビティタイマが満了せずにＷＤが連続的な受信を行っている時間に加えて、ＷＤが１回のＨＡＲＱ  ＲＴＴの後にＤＬ再送に向けて待機しながら連続的な受信を行っている時間を含む。対照的に、ＤＲＸ非アクティブ時間の期間中に、ＷＤの受信機はアクティブではなく又は起きておらず、したがって、ＷＤはどの制御チャネルも監視することを期待されない。
【００１７】
ＬＴＥにおけるＤＲＸ動作が、図２においてより詳細なパラメータと共に示されている。本開示の実施形態は、ＷＤがｅＤＲＸと共に構成される場合にも適用可能であり得る。ｅＤＲＸサイクルは、ある閾値（例えば、５．１２秒）よりも大きいＤＲＸサイクル長を有し、各ｅＤＲＸサイクル内にページング送信ウィンドウ（ＰＴＷ）を含む。ＰＴＷは、１つ以上のＤＲＸサイクルを含む。
【００１８】
ここまでに説明した既存の解決策は、問題を有する。初期アクセスにおいて、ＷＤは、典型的には、アクセスの試行先であるセルの存在に関する事前の情報を有しておらず、セル識別のために使用される同期信号（例えば、プライマリ同期信号／セカンダリ同期信号（ＰＳＳ／ＳＳＳ））の中央周波数を認識していない。いくつかの配備シナリオでは、（例えば、ＬＴＥ）セルの中央周波数及び同期信号の中央周波数は同一である。しかしながら、いくつかの他の配備シナリオでは、（例えば、ＮＲ）セルの中央周波数及び同期信号（例えば、ＮＲにおける同期信号ブロック（ＳＳＢ））の中央周波数は同一かもしれず又はそうでないかもしれない。
【００１９】
初期アクセスの期間中にセルを識別するための最初のステップは、セルが動作するキャリア周波数の存在を判定することである。これを、周波数スキャニング、帯域スキャニング、周波数サーチ又は初期セルサーチという。次のステップは、例えば物理セル識別（ＰＣＩ）を識別することにより、判定したキャリア周波数上で動作しているセルを識別することである。これは、同期信号の中央周波数の判定をも含む。帯域スキャニング手続において、ＷＤは、典型的には、ある時間ピリオドにおいてある周波数範囲にわたってエネルギー（Ｐｅ）を推定し、それをあるエネルギー閾値（Ｈｇ）と比較して、キャリア周波数Ｆ１上で又はあるキャリア周波数範囲内で１つ以上のセルが動作している可能性があるかを判定する。
【００２０】
帯域スキャニング手続は、時間リソースにおいて頻繁に（例えば、毎サブフレーム（例えば、ＬＴＥでは１ｍｓ）など、毎時間リソースにおいて）全セル帯域幅にわたってリファレンス信号（例えば、セル固有リファレンス信号（ＣＲＳ））が送信されるレガシーシステムにおいては良好に働く。一方で、セルが高効率キャリア動作を採用するＬＴＥの将来のリリース（例えば、リリース１５）又はＮＲにおいては問題が生じる。高効率キャリア動作では、リファレンス信号をミューティングし又はセル帯域幅のある部分の内側でのみ送信することができ、ＷＤ  ＲＦ帯域幅もセル帯域幅よりも小さくすることができる。これが、初期アクセスのためのレガシーの周波数スキャニングの方法を、その新たなシナリオの下で不適当なものにする。
【発明の概要】
【００２１】
ネットワークノードとワイヤレスデバイスとの間の通信のための方法及び装置がここで開示され、いくつかの実施形態において、それらは高効率キャリア動作における帯域スキャニングを容易化するためのものである。
【００２２】
本開示のある観点によれば、高効率キャリア動作のためのネットワークノードのための方法が提供される。上記方法は、高効率キャリア動作において全セル帯域幅にわたってリファレンス信号を送信するための少なくとも１つの時間ピリオドを識別することと、識別された上記少なくとも１つの時間ピリオドに少なくとも部分的に基づく帯域幅パターンに従ってリファレンス信号を送信することと、を含む。
【００２３】
上記観点のいくつかの実施形態において、上記方法は、高効率キャリア動作のための低減帯域幅にわたって上記リファレンス信号を送信するための少なくとも１つの時間ピリオドを識別すること、をさらに含む。上記観点のいくつかの実施形態において、上記低減帯域幅は、上記全セル帯域幅よりも小さい。上記観点のいくつかの実施形態において、上記方法は、上記全セル帯域幅にわたって上記リファレンス信号を送信するための識別された上記少なくとも１つの時間ピリオドに少なくとも部分的に基づいて、上記帯域幅パターンを判定すること、をさらに含む。上記観点のいくつかの実施形態において、上記方法は、上記全セル帯域幅にわたって上記リファレンス信号を送信するための識別された上記少なくとも１つの時間ピリオド、及び上記低減帯域幅にわたって上記リファレンス信号を送信するための識別された上記少なくとも１つの時間ピリオドに少なくとも部分的に基づいて、上記帯域幅パターンを判定すること、をさらに含む。上記観点のいくつかの実施形態において、送信される上記リファレンス信号は、セル固有リファレンス信号（ＣＲＳ）を含む。上記観点のいくつかの実施形態において、上記帯域幅パターンは、周期性を含む。上記観点のいくつかの実施形態において、上記周期性は、２０ミリ秒（ｍｓ）である。上記観点のいくつかの実施形態において、上記周期性は、１０ミリ秒である。上記観点のいくつかの実施形態において、上記周期性は、ランダムアクセス（ＲＡ）手続及びシステム情報ブロック（ＳＩＢ）送信時間長のうちの少なくとも一方に少なくとも部分的に基づく。上記観点のいくつかの実施形態において、高効率キャリア動作において上記全セル帯域幅にわたって上記リファレンス信号を送信するための上記少なくとも１つの時間ピリオドは、１ミリ秒に相当する。上記観点のいくつかの実施形態において、上記方法は、上記帯域幅パターンに従って上記リファレンス信号が送信される結果として、ワイヤレスデバイス（ＷＤ）についての初期アクセスリクエストを受信すること、をさらに含む。
【００２４】
本開示の他の観点によれば、高効率キャリア動作のためのネットワークノードが提供される。上記ネットワークノードは、処理回路を備え、上記処理回路は、上記ネットワークノード（１４）に、高効率キャリア動作において全セル帯域幅にわたってリファレンス信号を送信するための少なくとも１つの時間ピリオドを識別することと、識別された上記少なくとも１つの時間ピリオドに少なくとも部分的に基づく帯域幅パターンに従ってリファレンス信号を送信することと、を行わせるように構成される。
【００２５】
上記観点のいくつかの実施形態において、上記処理回路は、上記ネットワークノードに、高効率キャリア動作のための低減帯域幅にわたって上記リファレンス信号を送信するための少なくとも１つの時間ピリオドを識別すること、を行わせるようにさらに構成される。上記観点のいくつかの実施形態において、上記低減帯域幅は、上記全セル帯域幅よりも小さい。上記観点のいくつかの実施形態において、上記処理回路は、上記ネットワークノードに、上記全セル帯域幅にわたって上記リファレンス信号を送信するための識別された上記少なくとも１つの時間ピリオドに少なくとも部分的に基づいて、上記帯域幅パターンを判定すること、を行わせるようにさらに構成される。上記観点のいくつかの実施形態において、上記処理回路は、上記ネットワークノードに、上記全セル帯域幅にわたって上記リファレンス信号を送信するための識別された上記少なくとも１つの時間ピリオド、及び上記低減帯域幅にわたって上記リファレンス信号を送信するための識別された上記少なくとも１つの時間ピリオドに少なくとも部分的に基づいて、上記帯域幅パターンを判定すること、を行わせるようにさらに構成される。上記観点のいくつかの実施形態において、送信される上記リファレンス信号は、セル固有リファレンス信号を含む。上記観点のいくつかの実施形態において、上記帯域幅パターンは、周期性を含む。上記観点のいくつかの実施形態において、上記周期性は、２０ミリ秒である。上記観点のいくつかの実施形態において、上記周期性は、１０ミリ秒である。上記観点のいくつかの実施形態において、上記周期性は、ランダムアクセス手続及びシステム情報ブロック送信時間長のうちの少なくとも一方に少なくとも部分的に基づく。上記観点のいくつかの実施形態において、高効率キャリア動作において上記全セル帯域幅にわたって上記リファレンス信号を送信するための上記少なくとも１つの時間ピリオドは、１ミリ秒に相当する。上記観点のいくつかの実施形態において、上記処理回路は、上記ネットワークノードに、上記帯域幅パターンに従って上記リファレンス信号が送信される結果として、ワイヤレスデバイスについての初期アクセスリクエストを受信すること、を行わせるようにさらに構成される。
【００２６】
また別の観点によれば、高効率キャリア動作のためのワイヤレスデバイスのための方法が提供される。上記方法は、少なくとも第１の時間ピリオド及び上記第１の時間ピリオドとは異なる第２の時間ピリオドを判定することと、判定された上記第１の時間ピリオド及び上記第２の時間ピリオドに従って、少なくとも１つのキャリア周波数の範囲内で少なくとも１つのエネルギーレベルを推定することと、推定された上記少なくとも１つのエネルギーレベルに少なくとも部分的に基づいて、上記キャリア周波数上で少なくとも１つのセルが動作しているかを判定することと、上記キャリア周波数上で上記少なくとも１つのセルが動作しているかの判定に基づいて、上記キャリア周波数上でセルサーチを実行することと、を含む。
【００２７】
上記観点のいくつかの実施形態において、上記第２の時間ピリオドは、上記第１の時間ピリオドよりも少ない。上記観点のいくつかの実施形態において、判定された上記第１の時間ピリオド及び上記第２の時間ピリオドに従って、上記少なくとも１つのキャリア周波数の範囲内で上記少なくとも１つのエネルギーレベルを推定することは、上記キャリア周波数の範囲内で上記第１の時間ピリオドにわたって第１のエネルギーレベルを推定することと、上記キャリア周波数の範囲内で少なくとも１回の上記第２の時間ピリオドにわたって少なくとも１つの第２のエネルギーレベルを推定することと、をさらに含む。上記観点のいくつかの実施形態において、上記少なくとも１つの第２のエネルギーレベルを推定することは、上記キャリア周波数の範囲内で複数回続く上記第２の時間ピリオドにわたって上記少なくとも１つの第２のエネルギーレベルを推定すること、を含む。上記観点のいくつかの実施形態において、上記方法は、上記キャリア周波数上で上記少なくとも１つのセルが動作しているかを判定するために、推定された上記第１のエネルギーレベルと推定された上記少なくとも１つの第２のエネルギーレベルとの間の関係を判定すること、をさらに含む。上記観点のいくつかの実施形態において、推定された上記第１のエネルギーレベルと推定された上記少なくとも１つの第２のエネルギーレベルとの間の上記関係を判定することは、上記キャリア周波数上で上記少なくとも１つのセルが動作しているかを判定するために、推定された上記少なくとも１つの第２のエネルギーレベルを推定された上記第１のエネルギーレベルと比較すること、をさらに含む。上記観点のいくつかの実施形態において、上記方法は、推定された上記少なくとも１つの第２のエネルギーレベルと推定された上記第１のエネルギーレベルとの間の差が少なくとも予め決定された条件を充足する場合に、上記キャリア周波数上で上記少なくとも１つのセルが動作していると判定すること、を含む。上記観点のいくつかの実施形態において、上記方法は、推定された上記少なくとも１つの第２のエネルギーレベルと推定された上記第１のエネルギーレベルとの間の差が少なくとも予め決定された条件を充足しない場合に、上記キャリア周波数上で上記少なくとも１つのセルが動作していないと判定すること、を含む。上記観点のいくつかの実施形態において、上記第１の時間ピリオド及び上記第２の時間ピリオドは、高効率キャリア動作における全セル帯域幅にわたるリファレンス信号送信に少なくとも部分的に基づく帯域幅パターンに対応する。
【００２８】
上記観点のいくつかの実施形態において、判定された上記第１の時間ピリオドは、高効率キャリア動作における全セル帯域幅にわたるリファレンス信号送信のための周期性に対応する。上記観点のいくつかの実施形態において、判定された上記第２の時間ピリオドは、高効率キャリア動作における低減帯域幅にわたるリファレンス信号送信のための時間長に対応する。上記観点のいくつかの実施形態において、上記低減帯域幅は、上記全セル帯域幅よりも小さい。上記観点のいくつかの実施形態において、上記リファレンス信号送信は、ネットワークノードによるセル固有リファレンス信号送信である。上記観点のいくつかの実施形態において、高効率キャリア動作における上記全セル帯域幅にわたる上記リファレンス信号送信の上記周期性は、２０ミリ秒である。上記観点のいくつかの実施形態において、高効率キャリア動作における上記全セル帯域幅にわたる上記リファレンス信号送信の上記周期性は、１０ミリ秒である。上記観点のいくつかの実施形態において、高効率キャリア動作における上記全セル帯域幅にわたる上記リファレンス信号送信のための上記時間長は、１ミリ秒である。上記観点のいくつかの実施形態において、上記第１の時間ピリオド及び上記第２の時間ピリオドのうちの少なくとも一方は、ランダムアクセスの周期性及びシステム情報ブロックの周期性のうちの一方に対応する。上記観点のいくつかの実施形態において、上記キャリア周波数上で上記少なくとも１つのセルが動作しているかの上記判定に基づいて、上記キャリア周波数上で上記セルサーチを実行することは、上記キャリア周波数上で上記少なくとも１つのセルが動作していると判定することに応じて、上記キャリア周波数上で上記セルサーチを実行すること、を含む。上記観点のいくつかの実施形態において、上記第１の時間ピリオド及び上記第２の時間ピリオドの各々は、予め決定される時間ピリオドである。上記観点のいくつかの実施形態において、判定された上記第１の時間ピリオド及び上記第２の時間ピリオドに従って、上記少なくとも１つのキャリア周波数の範囲内で上記少なくとも１つのエネルギーレベルを推定することは、上記第１の時間ピリオドにわたってパワースペクトル密度を推定することと、上記第２の時間ピリオドにわたってＰＳＤを推定することと、上記第１の時間ピリオド及び上記第２の時間ピリオドの各々は１ミリ秒に相当することと、をさらに含む。
【００２９】
本開示の他の観点によれば、高効率キャリア動作のためのワイヤレスデバイスが提供される。上記ワイヤレスデバイスは、処理回路を含み、上記処理回路は、上記ＷＤに、少なくとも第１の時間ピリオド及び上記第１の時間ピリオドとは異なる第２の時間ピリオドを判定することと、判定された上記第１の時間ピリオド及び上記第２の時間ピリオドに従って、少なくとも１つのキャリア周波数の範囲内で少なくとも１つのエネルギーレベルを推定することと、推定された上記少なくとも１つのエネルギーレベルに少なくとも部分的に基づいて、上記キャリア周波数上で少なくとも１つのセルが動作しているかを判定することと、上記キャリア周波数上で上記少なくとも１つのセルが動作しているかの上記判定に基づいて、上記キャリア周波数上で上記セルサーチを実行することと、を行わせるように構成される。
【００３０】
上記観点のいくつかの実施形態において、上記第２の時間ピリオドは、上記第１の時間ピリオドよりも少ない。上記観点のいくつかの実施形態において、上記処理回路は、上記ＷＤに、上記キャリア周波数の範囲内で上記第１の時間ピリオドにわたって第１のエネルギーレベルを推定することと、上記キャリア周波数の範囲内で少なくとも１回の上記第２の時間ピリオドにわたって少なくとも１つの第２のエネルギーレベルを推定することと、を行わせるように構成されることにより、判定された上記第１の時間ピリオド及び上記第２の時間ピリオドに従って上記少なくとも１つのキャリア周波数の範囲内で上記少なくとも１つのエネルギーレベルを推定することを、上記ＷＤに行わせる、ように構成される。上記観点のいくつかの実施形態において、上記処理回路は、上記ＷＤに、上記キャリア周波数の範囲内で複数回続く上記第２の時間ピリオドにわたって上記少なくとも１つの第２のエネルギーレベルを推定すること、を行わせるようにさらに構成されることにより、上記少なくとも１つの第２のエネルギーレベルを推定することを、上記ＷＤに行わせる、ように構成される。上記観点のいくつかの実施形態において、上記処理回路は、上記ＷＤに、上記キャリア周波数上で上記少なくとも１つのセルが動作しているかを判定するために、推定された上記第１のエネルギーレベルと推定された上記少なくとも１つの第２のエネルギーレベルとの間の関係を判定すること、を行わせるようにさらに構成される。上記観点のいくつかの実施形態において、上記処理回路は、上記ＷＤに、上記キャリア周波数上で上記少なくとも１つのセルが動作しているかを判定するために、推定された上記少なくとも１つの第２のエネルギーレベルを推定された上記第１のエネルギーレベルと比較すること、を行わせるようにさらに構成されることにより、推定された上記第１のエネルギーレベルと推定された上記少なくとも１つの第２のエネルギーレベルとの間の関係を判定することを、上記ＷＤに行わせるように構成される。上記観点のいくつかの実施形態において、上記処理回路は、上記ＷＤに、推定された上記少なくとも１つの第２のエネルギーレベルと推定された上記第１のエネルギーレベルとの間の差が少なくとも予め決定された条件を充足する場合に、上記キャリア周波数上で上記少なくとも１つのセルが動作していると判定すること、を行わせるように構成される。上記観点のいくつかの実施形態において、上記処理回路は、上記ＷＤに、推定された上記少なくとも１つの第２のエネルギーレベルと推定された上記第１のエネルギーレベルとの間の差が少なくとも予め決定された条件を充足しない場合に、上記キャリア周波数上で上記少なくとも１つのセルが動作していないと判定すること、を行わせるように構成される。上記観点のいくつかの実施形態において、上記第１の時間ピリオド及び上記第２の時間ピリオドは、高効率キャリア動作における全セル帯域幅にわたるリファレンス信号送信に少なくとも部分的に基づく帯域幅パターンに対応する。上記観点のいくつかの実施形態において、判定された上記第１の時間ピリオドは、高効率キャリア動作における全セル帯域幅にわたるリファレンス信号送信のための周期性に対応する。上記観点のいくつかの実施形態において、判定された上記第２の時間ピリオドは、高効率キャリア動作における低減帯域幅にわたるリファレンス信号送信のための時間長に対応する。上記観点のいくつかの実施形態において、上記低減帯域幅は、上記全セル帯域幅よりも小さい。上記観点のいくつかの実施形態において、上記リファレンス信号送信は、ネットワークノードによるセル固有リファレンス信号送信である。上記観点のいくつかの実施形態において、高効率キャリア動作における上記全セル帯域幅にわたる上記リファレンス信号送信の上記周期性は、２０ミリ秒である。上記観点のいくつかの実施形態において、高効率キャリア動作における上記全セル帯域幅にわたる上記リファレンス信号送信の上記周期性は、１０ミリ秒である。上記観点のいくつかの実施形態において、高効率キャリア動作における上記全セル帯域幅にわたる上記リファレンス信号送信のための上記時間長は、１ミリ秒である。上記観点のいくつかの実施形態において、上記第１の時間ピリオド及び上記第２の時間ピリオドのうちの少なくとも一方は、ランダムアクセスの周期性及びシステム情報ブロックの周期性のうちの一方に対応する。上記観点のいくつかの実施形態において、上記処理回路は、上記キャリア周波数上で上記少なくとも１つのセルが動作していると判定することに応じて、上記キャリア周波数上で上記セルサーチを実行すること、を行うように構成されることにより、上記キャリア周波数上で上記セルサーチを実行することを、上記ＷＤに行わせるようにさらに構成される。上記観点のいくつかの実施形態において、上記第１の時間ピリオド及び上記第２の時間ピリオドの各々は、予め決定される時間ピリオドである。上記観点のいくつかの実施形態において、上記処理回路は、上記ＷＤに、上記第１の時間ピリオドにわたってパワースペクトル密度を推定することと、上記第２の時間ピリオドにわたってＰＳＤを推定することと、を行わせるようにさらに構成されることにより、判定された上記第１の時間ピリオド及び上記第２の時間ピリオドに従って、上記少なくとも１つのキャリア周波数の範囲内で上記少なくとも１つのエネルギーレベルを推定する、ように構成され、上記第１の時間ピリオド及び上記第２の時間ピリオドの各々は１ミリ秒に相当する。
【図面の簡単な説明】
【００３１】
本実施形態並びに付随する利点及びその特徴のより十分な理解が、添付図面と併せて考慮された場合に、以下の詳細な説明を参照することにより一層容易に得られるであろう：
【００３２】
【図１】ネットワークベースのＣＲＳ軽減に伴う例示的な動作の図である。
【図２】本開示のある実施形態に係る、ＬＴＥにおけるＤＲＸサイクル動作を示す図である。
【図３】本開示のある実施形態に係る、例示的なネットワークのブロック図である。
【図４】本開示のある実施形態に係る、ネットワークノードのブロック図である。
【図５】本開示の代替的な実施形態に係る、ネットワークノードのブロック図である。
【図６】本開示のある実施形態に係る、ワイヤレスデバイスのブロック図である。
【図７】本開示の代替的な実施形態に係る、ワイヤレスデバイスのブロック図である。
【図８】本開示のある実施形態に係る、ネットワークノードと通信することを試行するためのワイヤレスデバイスにおける例示的な処理のフローチャートである。
【図９】本開示のまた別の実施形態に係る、ワイヤレスデバイスと通信することを試行するためのネットワークノードにおけるまた別の例示的な処理のフローチャートである。
【図１０】本開示のある実施形態に係る、ネットワークノードへのアクセスを試行するＷＤのための例示的な手続を示すフローチャートである。
【図１１】本開示の他の実施形態に係る、低減帯域幅のみでＲＳが送信される場合の、Ｔ１の期間中の推定されたパワースペクトル密度（ＰＳＤ）を示す図である。
【図１２】本開示の一実施形態に係る、固定的な及び低減された帯域幅上でのＲＳ送信に加えて、全ＢＷ又はＷＤによる受信のために構成された帯域幅上でＲＳが送信される（Ｔ１−ｂから開始）Ｔ１の期間中の推定されたＰＳＤを示す図である。
【図１３】本開示のある実施形態に係る、時間ピリオドＴ１とＴ２との間の関係を示す図である。
【図１４】本開示の一実施形態に係る、低減帯域幅のみでＲＳが送信される場合の、１つの例示的なセルの推定されたＰＳＤを示す図である。
【図１５】本開示のまた別の実施形態に係る、固定的な及び低減された帯域幅上でのＲＳ送信に加えて、全ＢＷ又はＷＤによる受信のために構成された帯域幅上でＲＳがなされる他のＰＳＤサンプルの期間中の推定されたＰＳＤを示す図である。
【図１６】本開示のある実施形態に係る、Ｔ１の期間中のＰＳＤのシーケンスを示す図である。
【図１７】時間及び周波数ドメイン上でのセル固有リファレンス信号（ＣＲＳ）ミューティングを示す図である。
【図１８】ランダムアクセス（ＲＡ）の期間中のセル帯域幅のうちの相異なる部分でのリファレンス信号（ＲＳ）の送信を示す図である。
【発明を実施するための形態】
【００３３】
例示的な実施形態を詳細に説明する前に、注記されることとして、それら実施形態は、低減帯域幅にわたってリファレンス信号が送信される場合の帯域スキャニングに関連する装置のコンポーネント及び処理ステップの組み合わせに主として内在する。したがって、適切な場合には、コンポーネントは図中で型どおりのシンボルで表現されており、図面は、ここでの説明の恩恵を有する当業者にとって容易に明らかとなる詳細で本開示を曖昧にすることのないように、実施形態の理解に関する特定の詳細のみを示す。
【００３４】
ここで使用されるところでは、“第１”及び“第２”、“上”及び“下”などといった関係的な用語が、あるエンティティ又は要素と他のエンティティ又は要素とを単に区別するために、そうしたエンティティ又は要素間のいかなる物理的な若しくは論理的な関係若しくは順序を必ずしも要し又は示唆することなく使用され得る。ここで使用される専門用語は、具体的な実施形態を説明する目的のためのものに過ぎず、ここで説明される概念を限定することを意図されない。ここで使用されるような、単数形である“a”、“an”、及び“the”は、文脈で別段明示的に示されていない限り、複数形をも含むことが意図される。さらに理解されるであろうこととして、“含む（comprises）”、含む（comprising）”、“含む（includes）”及び／又は“含む（including）”という用語は、ここで使用される場合、記述された特徴、整数、ステップ、動作、エレメント、及び／又はコンポーネントの存在を特定するものの、１つ以上の他の特徴、整数、ステップ、動作、エレメント、コンポーネント、及び／又はそれらの集合の存在又は追加を排除しない。
【００３５】
別段定義されない限り、ここで使用される（技術的用語及び学術的用語を含む）全ての用語は、本開示が属する分野における当業者により共通的に理解される意味と同じ意味を有する。さらに理解されるであろうこととして、ここで使用される用語は、本明細書及び関係する分野の文脈でのそれらの意味に整合する意味を有するものとして解釈されるべきであり、ここで文字通りそのように定義されない限り、理想化され又は過度に形式的な意味合いでは解釈されない。
【００３６】
ここで説明される実施形態において、“〜と通信している”などの連結を表す用語は、電気的通信又はデータ通信を示すために使用され得るものであり、それは、例えば物理的な接触、誘導、電磁放射、無線シグナリング、赤外線シグナリング又は光学シグナリングにより達成され得る。複数のコンポーネントは連携して動作してよく、電気的通信及びデータ通信を達成することについて修正及び変形が可能であることを、当業者は理解するであろう。
【００３７】
いくつかの実施形態において、非限定的な用語である“ネットワークノード”が使用されており、ＵＥと及び/又はセルラ、モバイル若しくはワイヤレス通信システム内の他のネットワークノードと通信することのできる任意のタイプの無線アクセスノード（若しくは無線ネットワークノード）又は任意のネットワークノードに相当し得る。ネットワークノードの例は、ノードＢ、マスタｅＮＢ（ＭｅＮＢ）、セカンダリｅＮＢ（ＳｅＮＢ）、ｇＮｏｄｅＢ、マスタセルグループ（ＭＣＧ）若しくはセカンダリセルグループ（ＳＣＧ）に属するネットワークノード、基地局（ＢＳ）、マルチ標準無線（ＭＳＲ）ＢＳといったＭＳＲ無線ノード、ｅＮｏｄｅＢ、ネットワークコントローラ、無線ネットワークコントローラ（ＲＮＣ）、基地局コントローラ（ＢＳＣ）、リレー、リレーを制御するドナーノード、基地送受信局（ＢＴＳ）、アクセスポイント（ＡＰ）、送信ポイント、送信ノード、リモート無線ユニット（ＲＲＵ）、リモート無線ヘッド（ＲＲＨ）、分散アンテナシステム（ＤＡＳ）内のノード、コアネットワークノード（例えば、モバイルスイッチングセンタ（ＭＳＣ）、移動管理エンティティ（ＭＭＥ）など）、運用及び保守（Ｏ＆Ｍ）、運用サポートシステム（ＯＳＳ）、自己組織化ネットワーク（ＳＯＮ）、測位ノード（例えば、進化型サービングモバイルロケーションセンタ（Ｅ−ＳＭＬＣ））、ドライブテスト最小化（ＭＤＴ）ノードなどである。
【００３８】
いくつかの実施形態において、非限定的な用語であるＷＤ又はワイヤレスデバイスが互換可能に使用されている。ここでのＷＤは、ネットワークノード又は他のＷＤとの間で無線信号で通信可能な任意のタイプのワイヤレスデバイスであり得る。また、ＷＤは、無線通信デバイス、ユーザ機器（ＵＥ）、ターゲットデバイス、デバイスツーデバイス（Ｄ２Ｄ）ＵＥ、マシンタイプＵＥ若しくはマシンツーマシン通信（Ｍ２Ｍ）可能なＵＥ、低コスト及び／若しくは低複雑度ＷＤ、ＵＥを具備するセンサ、タブレット、移動端末、スマートフォン、ＬＥＥ（laptop embedded equipped）、ＬＭＥ（laptop mounted equipment）、ＵＳＢドングル、ＣＰＥ（Customer Premises Equipment）、ＩｏＴ（Internet of Things）デバイス、又は狭帯域ＩｏＴ（ＮＢ−ＩＯＴ）デバイスなどであってもよい。
【００３９】
また、いくつかの実施形態において、汎用的な用語である“無線ネットワークノード”が使用されている。それは、任意の種類の無線ネットワークノードであってよく、基地局、無線基地局、基地送受信局、基地局コントローラ、ネットワークコントローラ、無線ネットワークコントローラ（ＲＮＣ）、進化型ノードＢ（ｅＮＢ）、ノードＢ、マルチセル／マルチキャスト協調エンティティ（ＭＣＥ）、リレーノード、アクセスポイント、無線アクセスポイント、リモート無線ユニット（ＲＲＵ）、リモート無線ヘッド（ＲＲＨ）のうちのいずれかを含み得る。
【００４０】
いくつかの実施形態において、ＷＤは、デュアルコネクティビティ及び／又はキャリアアグリゲーションでのように、プライマリセル（ＰＣｅｌｌ）及びプライマリセカンダリセル（ＰＳＣｅｌｌ）と共に、又はＰＣｅｌｌ、ＰＳＣｅｌｌ及び１つ以上のセカンダリセル（ＳＣｅｌｌ）と共に構成されてもよい。構成されるセルは、ＷＤ固有、言うなればＷＤのサービングセルであってもよい。
【００４１】
いくつかの実施形態において、“レイヤ”との用語が使用されており、それは１つ以上のセルが動作し信号を送信及び／又は受信することのできる任意のキャリア周波数に相当し得る。ＷＤは、キャリア周波数に属する１つ以上のセルの信号について１回以上の測定を実行することができる。レイヤは、周波数レイヤ又はキャリア周波数レイヤとして言及されてもよい。各キャリア周波数は、ＡＲＦＣＮ（例えば、ＵＭＴＳにおけるＵＭＴＳ（Universal Mobile Telecommunications System）絶対無線周波数チャネル番号（ＵＡＲＦＣＮ）、ＬＴＥにおける進化型絶対無線周波数チャネル番号（ＥＡＲＦＣＮ）など）として言及されることのある絶対チャネル番号によってＷＤに対し指定され又は指し示されてもよい。
【００４２】
ここで使用される帯域幅（ＢＷ）との用語は、ノードが他のノードとの間で信号を送信し及び／又は受信する周波数の範囲であると考えられてよい。ＢＷは、動作帯域幅、チャネル帯域幅、システム帯域幅、構成された帯域幅、送信帯域幅、セル帯域幅、セル送信ＢＷ、及びキャリア帯域幅として、互換可能に言及される。ＢＷは、次のうちの任意の１つで表現され得る：Ｇ１ＭＨｚ、Ｇ２ＧＨｚ、物理チャネル数（例えば、Ｇ３リソースブロック、Ｇ４サブキャリアなど）を単位として。ある例において、ＢＷは保護帯域を含んでもよく、他の例において、ＢＷは保護帯域を除外してもよい。例えば、システム又はチャネルＢＷは保護帯域を含んでもよく、一方で、送信帯域幅は保護帯域を含まないＢＷからなってもよい。簡明さのために、ここでは全体を通じて本開示の実施形態を説明するために“ＢＷ”との用語が使用されている。
【００４３】
ここで使用される“時間リソース”との用語は、時間の長さを単位として表現される任意の種類の物理リソース又は無線リソースに相当し得る。時間リソースの例は、例えば、シンボル、時間スロット、サブフレーム、無線フレーム、送信時間インターバル（ＴＴＩ）、インターリービング時間などを含む。ここで使用される“ＴＴＩ”との用語は、物理チャネルを符号化し及びオプションとして送信向けにインターリーブすることのできる任意の時間ピリオド（Ｔ０）に相当し得る。物理チャネルは、符号化されたときと同じ時間ピリオド（Ｔ０）にわたって受信機により復号され得る。ＴＴＩは、ショートＴＴＩ（ｓＴＴＩ）、送信時間、時間スロット、サブスロット、ミニスロット、及びミニサブフレームとしても互換可能に言及され得る。
【００４４】
ここで使用されるリファレンス信号（ＲＳ）との用語は、例えばＷＤにとって既知の信号又は関連付けられるシーケンスといった、ＷＤにおいて予め構成される任意の種類の物理信号に相当し得る。ＲＳの例は、限定ではないものの、以下を含む：ＣＲＳ、ＤＭＲＳ、マルチブロードキャスト単一周波数ネットワーク（ＭＢＳＦＮ）ＲＳ、チャネル状態情報リファレンス信号（ＣＳＩ−ＲＳ）、ＰＳＳ／ＳＳＳ、狭帯域リファレンス信号（ＮＲＳ）、狭帯域ＰＳＳ（ＮＰＳＳ）、測位リファレンス信号（ＰＲＳ）、位相追跡リファレンス信号（ＰＴ−ＲＳ）、及びＳＳＢにおける信号（例えば、ＮＲ  ＰＳＳ、ＮＲ  ＳＳＳ、ＮＲ  ＰＢＣＨ  ＤＭＲＳなど）。
【００４５】
ここで使用される“エネルギー推定”（又はエネルギー検知、エネルギー測定又はエネルギー判定）との用語は、ある時間及び周波数のある部分（例えば、帯域幅）の範囲内でのＷＤにおける信号のエネルギー又は電力の推定に相当し得る。エネルギー推定は、電力推定、パワースペクトル密度（ＰＳＤ）推定、強度推定などとしてもここで言及され得る。
【００４６】
いくつかの実施形態は、アクティビティ状態の低い又は高いワイヤレスデバイスに適用可能である。低アクティビティ状態の例は、限定ではないものの、ＲＲＣアイドル状態、アイドルモードなどを含む。高アクティビティ状態の例は、限定ではないものの、ＲＲＣ接続済み（CONNECTED）状態、アクティブモード、アクティブ状態などを含む。ワイヤレスデバイスは、ＤＲＸか又は非ＤＲＸかのいずれかで動作するように構成され得る。ワイヤレスデバイスは、ＤＲＸで動作するように構成される場合、ネットワークノードから新たな送信を受信する限り、依然として非ＤＲＸに従って動作し得る。
【００４７】
図面に戻ると、類似の要素への参照が類似の参照符号によってなされており、図３には、ここで説示される原理に従って構築されるワイヤレス通信システム１０のブロック図が示されている。ワイヤレス通信ネットワーク１０は、インターネット及び／又は公衆交換電話網（ＰＳＴＮ）を含み得るクラウド１２を含む。クラウド１２は、ワイヤレス通信ネットワーク１０のバックホールネットワークとして供されてもよい。ワイヤレス通信ネットワーク１０は、ネットワークノード１４Ａ及び１４Ｂといった１つ以上のネットワークノードを含み、それらネットワークノードは、ＬＴＥの実施形態ではＸ２インタフェースを介して直接的に通信してもよく、まとめてネットワークノード１４として言及される。考慮されることとして、新無線（ＮＲ）といった他の通信プロトコルについて、ネットワークノード１４の間の通信のために他のインタフェースタイプを使用することができる。ネットワークノード１４は、ワイヤレスデバイス１６Ａ及び１６Ｂにサービスしてよく、それらはここでまとめてワイヤレスデバイス１６として言及される。なお、便宜上２つのワイヤレスデバイス１６及び２つのネットワークノード１４のみが示されているものの、ワイヤレス通信ネットワーク１０は、典型的には、より多くのワイヤレスデバイス（ＷＤ）１６及びネットワークノード１４を含み得る。さらに、いくつかの実施形態において、複数のＷＤ１６がサイドリンク接続として言及されることのあるものを用いて直接的に通信してもよい。
【００４８】
さらに、ワイヤレスデバイス又はネットワークノードにより実行されるものとしてここで説明される機能が、複数のワイヤレスデバイス及び／又は複数のネットワークノードをまたいで分散されてもよいことに留意されたい。言い換えると、ここで説明されるネットワークノード及びワイヤレスデバイスの機能は、単一の物理デバイスによる実行に限定されず、実際には複数の物理デバイス間で分担されることができるものと考えられる。
【００４９】
図３に示したように、ネットワークノード１４は、リファレンス信号ユニット１８を含む。いくつかの実施形態において、リファレンス信号ユニット１８は、以下でより詳細にここで説明するように、帯域幅パターンに従ってリファレンス信号を送信するための、当該帯域幅パターンを判定する、ように構成され得る。ワイヤレスデバイス１６は、キャリア周波数ユニット２０を含む。いくつかの実施形態において、キャリア周波数ユニット２０は、以下でより詳細にここで説明するように、１つ以上のキャリア周波数上でセルサーチを行うことができるように、当該１つ以上のキャリア周波数を判定する、ように構成される。ネットワークノード１４及びワイヤレスデバイス１６の多様な実施形態が、本開示の実施形態により考慮される。それに応じて、ネットワークノード１４及びワイヤレスデバイス１６の代替的な実施形態がそれぞれ図４〜図５及び図６〜図７に示されており、それら実施形態について以下でより詳細にここで議論する。
【００５０】
図４は、ワイヤレスデバイス１６と通信するように構成されるネットワークノード１４の例示的な実施形態のブロック図である。ネットワークノード１４は、処理回路２２を含む。いくつかの実施形態において、処理回路は、メモリ２４及びプロセッサ２６を含んでよく、メモリ２４は、プロセッサ２６により実行された場合に、プロセッサ２６を、ワイヤレスデバイスとの通信に関連するものを含むここで説明される１つ以上の機能を実行するように構成する命令群、を含む。従来型のプロセッサ及びメモリに加えて、処理回路２２は、例えば１つ以上のプロセッサ、プロセッサコア、ＦＰＧＡ（Field  Programmable Gate Array）及び／又はＡＳＩＣ（Application Specific Integrated Circuitry）といった、処理及び／又は制御のための集積回路を含んでもよい。
【００５１】
プロセッサ２２は、メモリ２４を含み、メモリ２４へ接続され、及び／若しくはメモリ２４へのアクセス（例えば、書き込み及び／又は読み出し）のために構成されてもよく、メモリ２４は、例えば、キャッシュ、バッファメモリ、ＲＡＭ（Random Access Memory）、ＲＯＭ（Read−Only Memory）、光学メモリ、及び／若しくはＥＰＲＯＭ（Erasable Programmable Read−Only Memory）といった、任意の種類の揮発性の並びに／又は不揮発性のメモリを含んでもよい。そうしたメモリ２４は、制御回路により実行可能なコード、並びに／又は、例えば構成及び／若しくはノードのアドレスデータといった例えば通信に関するデータなどの他のデータを記憶する、ように構成され得る。処理回路２６は、ここで説明される方法のいずれかを制御し、並びに／又は、そうした方法を例えばプロセッサ２６により実行させる、ように構成され得る。対応する命令群がメモリ２４に記憶されてもよく、メモリ２４は、読取可能であり、及び／又は、処理回路２２へ読取可能に接続され得る。言い換えると、処理回路２２は、コントローラを含んでもよく、コントローラは、マイクロプロセッサ、マイクロコントローラ、ＦＰＧＡ（Field-Programmable Gate Array）デバイス及び／又はＡＳＩＣ（Application Specific Integrated Circuit）デバイスを含んでもよい。考えられ得ることとして、処理回路２２は、アクセス可能となるように構成され得るメモリを含み、又は、当該メモリへ接続され若しくは接続可能であり得る。ネットワークノード１４は、ネットワークノード１４とワイヤレスデバイス１６との間で信号を送受信するための送受信機２８をも含む。ある実施形態において、メモリ２４は、ＢＷパターン３０を記憶し、プロセッサ２６は、ここで説明される手続を実装するように判定ユニット３２のアルゴリズムを実行する。
【００５２】
例えば、ある実施形態において、ネットワークノード１４の処理回路２２は、ネットワークノード１４に、高効率キャリア動作において全セル帯域幅にわたってリファレンス信号を送信するための少なくとも１つの時間ピリオドを識別することと、識別された少なくとも１つの時間ピリオドに少なくとも部分的に基づく帯域幅パターンに従って、送受信機２８を介するなどしてリファレンス信号を送信することと、を行わせるように構成され得る。いくつかの実施形態において、処理回路２２は、ネットワークノード１４に、高効率キャリア動作のための低減帯域幅にわたってリファレンス信号を送信するための少なくとも１つの時間ピリオドを識別すること、を行わせるようにさらに構成される。いくつかの実施形態において、上記低減帯域幅は、全セル帯域幅よりも小さい。いくつかの実施形態において、処理回路２２は、ネットワークノード１４に、全セル帯域幅にわたってリファレンス信号を送信するための識別された少なくとも１つの時間ピリオドに少なくとも部分的に基づいて、上記帯域幅パターンを判定すること、を行わせるようにさらに構成される。
【００５３】
いくつかの実施形態において、処理回路２２は、ネットワークノード１４に、全セル帯域幅にわたってリファレンス信号を送信するための識別された少なくとも１つの時間ピリオド、及び低減帯域幅にわたってリファレンス信号を送信するための識別された少なくとも１つの時間ピリオドに少なくとも部分的に基づいて、上記帯域幅パターンを判定すること、を行わせるようにさらに構成される。いくつかの実施形態において、送信されるリファレンス信号は、セル固有リファレンス信号（ＣＲＳ）を含む。いくつかの実施形態において、上記帯域幅パターンは、周期性を含む。いくつかの実施形態において、上記周期性は、２０ミリ秒（ｍｓ）である。いくつかの実施形態において、上記周期性は、１０ミリ秒（ｍｓ）である。いくつかの実施形態において、上記周期性は、ランダムアクセス（ＲＡ）手続及びシステム情報ブロック（ＳＩＢ）送信時間長のうちの少なくとも一方に少なくとも部分的に基づく。いくつかの実施形態において、高効率キャリア動作において全セル帯域幅にわたってリファレンス信号を送信するための上記少なくとも１つの時間ピリオドは、１ミリ秒に相当する。いくつかの実施形態において、処理回路２２は、ネットワークノード１４に、上記帯域幅パターンに従ってリファレンス信号が送信される結果として、ワイヤレスデバイス（ＷＤ）１６についての初期アクセスリクエストを受信すること、を行わせるようにさらに構成される。
【００５４】
図５は、ネットワークノード１４の代替的な実施形態のブロック図であり、ネットワークノード１４は、送受信機モジュール３４及びＢＷパターン３０を記憶するメモリモジュール３６を有し、ここで説明されるネットワークノード１４の処理を実行するためのソフトウェアモジュールであり得る判定モジュール３８及び識別モジュール４０をも有する。
【００５５】
図６は、例示的なワイヤレスデバイス１６の一実施形態のブロック図である。ワイヤレスデバイス１６は、メモリ４４及びプロセッサ４６を含む処理回路４２を含む。ワイヤレスデバイス１６は、ネットワークノード１４とワイヤレスデバイス１６との間で信号を送受信するための送受信機４８をも含む。メモリ４４は、ＢＷパターン５０を記憶し、プロセッサ４６は、ワイヤレスデバイス１６についてここで説明されるように、推定ユニット５２により推定手続を、判定ユニット５４により判定手続を実行する。例えば、ワイヤレスデバイス１６についてのある実施形態において、処理回路４２は、ＷＤ１６に、少なくとも第１の時間ピリオド及び当該第１の時間ピリオドとは異なる第２の時間ピリオドを判定することと、判定された第１の時間ピリオド及び第２の時間ピリオドに従って、少なくとも１つのキャリア周波数の範囲内で少なくとも１つのエネルギーレベルを推定することと、推定された少なくとも１つのエネルギーレベルに少なくとも部分的に基づいて、上記キャリア周波数上で少なくとも１つのセルが動作しているかを判定することと、上記キャリア周波数上で少なくとも１つのセルが動作しているかの上記判定に基づいて、上記キャリア周波数上でセルサーチを実行することと、を行わせるように構成される。
【００５６】
いくつかの実施形態において、第２の時間ピリオドは、第１の時間ピリオドよりも少ない。いくつかの実施形態において、処理回路４２は、ＷＤ１６に、上記キャリア周波数の範囲内で第１の時間ピリオドにわたって第１のエネルギーレベルを推定することと、上記キャリア周波数の範囲内で少なくとも１回の第２の時間ピリオドにわたって少なくとも１つの第２のエネルギーレベルを推定することと、を行わせるように構成されることにより、判定された第１の時間ピリオド及び第２の時間ピリオドに従って上記少なくとも１つのキャリア周波数の範囲内で少なくとも１つのエネルギーレベルを推定することを、ＷＤ１６に行わせる、ように構成される。いくつかの実施形態において、処理回路４２は、ＷＤ１６に、上記キャリア周波数の範囲内で複数回続く第２の時間ピリオドにわたって上記少なくとも１つの第２のエネルギーレベルを推定すること、を行わせるようにさらに構成されることにより、上記少なくとも１つの第２のエネルギーレベルを推定することを、ＷＤ１６に行わせる、ように構成される。いくつかの実施形態において、処理回路４２は、ＷＤ１６に、上記キャリア周波数上で上記少なくとも１つのセルが動作しているかを判定するために、推定された上記第１のエネルギーレベルと推定された上記少なくとも１つの第２のエネルギーレベルとの間の関係を判定すること、を行わせるようにさらに構成される。いくつかの実施形態において、処理回路４２は、ＷＤ１６に、上記キャリア周波数上で上記少なくとも１つのセルが動作しているかを判定するために、推定された上記少なくとも１つの第２のエネルギーレベルを推定された上記第１のエネルギーレベルと比較すること、を行わせるようにさらに構成されることにより、推定された上記第１のエネルギーレベルと推定された上記少なくとも１つの第２のエネルギーレベルとの間の関係を判定することを、ＷＤ１６に行わせるように構成される。
【００５７】
いくつかの実施形態において、処理回路４２は、ＷＤ１６に、推定された上記少なくとも１つの第２のエネルギーレベルと推定された上記第１のエネルギーレベルとの間の差が少なくとも予め決定された条件を充足する場合に、上記キャリア周波数上で上記少なくとも１つのセルが動作していると判定すること、を行わせるように構成される。いくつかの実施形態において、処理回路４２は、ＷＤ１６に、推定された上記少なくとも１つの第２のエネルギーレベルと推定された上記第１のエネルギーレベルとの間の差が少なくとも予め決定された条件を充足しない場合に、上記キャリア周波数上で上記少なくとも１つのセルが動作していないと判定すること、を行わせるように構成される。いくつかの実施形態において、第１の時間ピリオド及び第２の時間ピリオドは、高効率キャリア動作における全セル帯域幅にわたるリファレンス信号送信に少なくとも部分的に基づく帯域幅パターンに対応する。いくつかの実施形態において、判定された第１の時間ピリオドは、高効率キャリア動作における全セル帯域幅にわたるリファレンス信号送信のための周期性に対応する。いくつかの実施形態において、判定された第２の時間ピリオドは、高効率キャリア動作における低減帯域幅にわたるリファレンス信号送信のための時間長に対応する。いくつかの実施形態において、上記低減帯域幅は、全セル帯域幅よりも小さい。いくつかの実施形態において、上記リファレンス信号送信は、ネットワークノード１４によるセル固有リファレンス信号（ＣＲＳ）送信である。いくつかの実施形態において、高効率キャリア動作における全セル帯域幅にわたる上記リファレンス信号送信の周期性は、２０ミリ秒（ｍｓ）である。いくつかの実施形態において、高効率キャリア動作における全セル帯域幅にわたる上記リファレンス信号送信の周期性は、１０ミリ秒（ｍｓ）である。いくつかの実施形態において、高効率キャリア動作における全セル帯域幅にわたる上記リファレンス信号送信のための時間長は、１ミリ秒である。いくつかの実施形態において、第１の時間ピリオド及び第２の時間ピリオドのうちの少なくとも一方は、ランダムアクセス（ＲＡ）の周期性及びシステム情報ブロック（ＳＩＢ）の周期性のうちの一方に対応する。いくつかの実施形態において、処理回路４２は、ＷＤ１６に、上記キャリア周波数上で上記少なくとも１つのセルが動作していると判定することに応じて、上記キャリア周波数上でセルサーチを実行すること、を行うように構成されることにより、上記キャリア周波数上でセルサーチを実行することを、ＷＤ１６に行わせるようにさらに構成される。いくつかの実施形態において、第１の時間ピリオド及び第２の時間ピリオドの各々は、予め決定される時間ピリオドである。いくつかの実施形態において、処理回路４２は、ＷＤ１６に、第１の時間ピリオドにわたってパワースペクトル密度（ＰＳＤ）を推定することと、第２の時間ピリオドにわたってＰＳＤを推定することと、を行わせるようにさらに構成されることにより、判定された第１の時間ピリオド及び第２の時間ピリオドに従って、上記少なくとも１つのキャリア周波数の範囲内で上記少なくとも１つのエネルギーレベルを推定する、ように構成され、第１の時間ピリオド及び第２の時間ピリオドの各々は１ミリ秒に相当する。
【００５８】
図７は、ワイヤレスデバイス１６の代替的な実施形態のブロック図であり、ワイヤレスデバイス１６は、ＢＷパターン５０を記憶するメモリモジュール５６を含む。ワイヤレスデバイス１６は、ワイヤレスデバイス１６についてここで説明されるような推定及び判定の手続を実行するためのソフトウェアモジュール５８及び６０をも含む。ワイヤレスデバイス１６は、ネットワークノード１４及び他のワイヤレスデバイスと通信するための送受信機モジュール６２をも含む。
【００５９】
図３〜図７はそれぞれのプロセッサ内にあり得る多様な“ユニット”を示しているかもしれないが、それらユニットはその一部が処理回路内の対応するメモリに記憶される形で実装されてもよいことが考慮される。言い換えると、上記ユニットは、ハードウェアで、又はハードウェアと処理回路内のソフトウェアとの組合せで実装されてもよい。
【００６０】
図８は、ネットワークノード１４と通信することを試行するためのワイヤレスデバイス１６における例示的な処理のフローチャートである。上記処理は、判定ユニット５４を介するなどして、少なくとも第１の時間ピリオド及び当該第１の時間ピリオドとは異なる第２の時間ピリオドを判定すること（ブロックＳ１００）、を含む。上記処理は、推定ユニット５２を介するなどして、判定された第１の時間ピリオド及び第２の時間ピリオドに従って、上記少なくとも１つのキャリア周波数の範囲内で少なくとも１つのエネルギーレベルを推定すること（ブロックＳ１０２）、を含む。上記処理は、判定ユニット５４を介するなどして、推定された少なくとも１つのエネルギーレベルに少なくとも部分的に基づいて、上記キャリア周波数上で少なくとも１つのセルが動作しているかを判定すること（ブロックＳ１０４）、を含む。上記処理は、判定ユニット５４を介するなどして、上記キャリア周波数上で上記少なくとも１つのセルが動作しているかの判定に基づいて、上記キャリア周波数上でセルサーチを実行すること（ブロックＳ１０６）、を含む。
【００６１】
ワイヤレスデバイス１６の例示的な処理のためのいくつかの実施形態において、第２の時間ピリオドは、第１の時間ピリオドよりも少ない。いくつかの実施形態において、判定された第１の時間ピリオド及び第２の時間ピリオドに従って、上記少なくとも１つのキャリア周波数の範囲内で上記少なくとも１つのエネルギーレベルを推定することは、上記キャリア周波数の範囲内で第１の時間ピリオドにわたって第１のエネルギーレベルを推定することと、上記キャリア周波数の範囲内で少なくとも１回の第２の時間ピリオドにわたって少なくとも１つの第２のエネルギーレベルを推定することと、をさらに含む。いくつかの実施形態において、上記少なくとも１つの第２のエネルギーレベルを推定することは、上記キャリア周波数の範囲内で複数回続く第２の時間ピリオドにわたって上記少なくとも１つの第２のエネルギーレベルを推定すること、を含む。いくつかの実施形態において、上記処理は、上記キャリア周波数上で上記少なくとも１つのセルが動作しているかを判定するために、推定された上記第１のエネルギーレベルと推定された上記少なくとも１つの第２のエネルギーレベルとの間の関係を判定すること、をさらに含む。いくつかの実施形態において、推定された上記第１のエネルギーレベルと推定された上記少なくとも１つの第２のエネルギーレベルとの間の上記関係を判定することは、上記キャリア周波数上で上記少なくとも１つのセルが動作しているかを判定するために、推定された上記少なくとも１つの第２のエネルギーレベルを推定された上記第１のエネルギーレベルと比較すること、をさらに含む。いくつかの実施形態において、上記処理は、推定された上記少なくとも１つの第２のエネルギーレベルと推定された上記第１のエネルギーレベルとの間の差が少なくとも予め決定された条件を充足する場合に、上記キャリア周波数上で上記少なくとも１つのセルが動作していると判定すること、を含む。いくつかの実施形態において、上記処理は、推定された上記少なくとも１つの第２のエネルギーレベルと推定された上記第１のエネルギーレベルとの間の差が少なくとも予め決定された条件を充足しない場合に、上記キャリア周波数上で上記少なくとも１つのセルが動作していないと判定すること、を含む。いくつかの実施形態において、第１の時間ピリオド及び第２の時間ピリオドは、高効率キャリア動作における全セル帯域幅にわたるリファレンス信号送信に少なくとも部分的に基づく帯域幅パターンに対応する。いくつかの実施形態において、判定された第１の時間ピリオドは、高効率キャリア動作における全セル帯域幅にわたるリファレンス信号送信のための周期性に対応する。いくつかの実施形態において、判定された第２の時間ピリオドは、高効率キャリア動作における低減帯域幅にわたるリファレンス信号送信のための時間長に対応する。いくつかの実施形態において、上記低減帯域幅は、全セル帯域幅よりも小さい。
【００６２】
いくつかの実施形態において、上記リファレンス信号送信は、ネットワークノード１４によるセル固有リファレンス信号（ＣＲＳ）送信である。いくつかの実施形態において、高効率キャリア動作における全セル帯域幅にわたる上記リファレンス信号送信の周期性は、２０ミリ秒（ｍｓ）である。いくつかの実施形態において、高効率キャリア動作における全セル帯域幅にわたる上記リファレンス信号送信の周期性は、１０ミリ秒（ｍｓ）である。いくつかの実施形態において、高効率キャリア動作における全セル帯域幅にわたる上記リファレンス信号送信のための時間長は、１ミリ秒である。いくつかの実施形態において、第１の時間ピリオド及び第２の時間ピリオドのうちの少なくとも一方は、ランダムアクセス（ＲＡ）の周期性及びシステム情報ブロック（ＳＩＢ）の周期性のうちの一方に対応する。いくつかの実施形態において、上記キャリア周波数上で上記少なくとも１つのセルが動作しているかの上記判定に基づいて、上記キャリア周波数上でセルサーチを実行することは、上記キャリア周波数上で上記少なくとも１つのセルが動作していると判定することに応じて、上記キャリア周波数上でセルサーチを実行すること、を含む。いくつかの実施形態において、第１の時間ピリオド及び第２の時間ピリオドの各々は、予め決定される時間ピリオドである。いくつかの実施形態において、判定された第１の時間ピリオド及び第２の時間ピリオドに従って、上記少なくとも１つのキャリア周波数の範囲内で上記少なくとも１つのエネルギーレベルを推定することは、第１の時間ピリオドにわたってパワースペクトル密度（ＰＳＤ）を推定することと、第２の時間ピリオドにわたってＰＳＤを推定することと、第１の時間ピリオド及び第２の時間ピリオドの各々は１ミリ秒に相当することと、をさらに含む。
【００６３】
ワイヤレスデバイス１６における代替的な処理では、上記処理は、第１の時間ピリオド及び第２の時間ピリオドを判定すること、を含む。上記処理は、第１の時間ピリオドにわたって第１のエネルギーレベルを推定すること、をも含む。上記処理は、第２の時間ピリオドにわたって少なくとも１つの第２のエネルギーレベルを推定すること、をさらに含み得る。上記処理は、推定された上記第１のエネルギーレベルと推定された上記少なくとも１つの第２のエネルギーレベルとの間の関係を判定すること、をも含み得る。
【００６４】
ネットワークノード１４との通信を試行するためのワイヤレスデバイス１６におけるまた別の代替的な処理では、上記処理は、第１の時間ピリオド及び第２の時間ピリオドを判定すること、を含む。上記処理は、第１の時間ピリオドの期間中の１回以上の第２の時間ピリオドで、周波数帯域のＰＳＤを推定すること、をも含む。上記処理は、期待されるＢＷパターンを測定されたＢＷパターンと比較することにより、上記周波数帯域内のキャリア周波数を判定すること、をも含む。
【００６５】
図９は、高効率キャリアモード動作のために構成されるネットワークノード１４における例示的な処理のフローチャートである。上記処理は、リファレンス信号ユニット１８を介するなどして、高効率キャリア動作において全セル帯域幅にわたってリファレンス信号を送信するための少なくとも１つの時間ピリオドを識別すること（ブロックＳ１０８）、を含む。上記処理は、識別された少なくとも１つの時間ピリオドに少なくとも部分的に基づく帯域幅パターンに従って、送受信機２８を介するなどしてリファレンス信号を送信すること（ブロックＳ１１０）、を含む。
【００６６】
ネットワークノード１４における例示的な処理のいくつかの実施形態において、上記処理は、高効率キャリア動作のための低減帯域幅にわたってリファレンス信号を送信するための少なくとも１つの時間ピリオドを識別すること、をさらに含む。いくつかの実施形態において、上記低減帯域幅は、全セル帯域幅よりも小さい。いくつかの実施形態において、上記処理は、全セル帯域幅にわたってリファレンス信号を送信するための識別された少なくとも１つの時間ピリオドに少なくとも部分的に基づいて、上記帯域幅パターンを判定すること、をさらに含む。いくつかの実施形態において、上記処理は、全セル帯域幅にわたってリファレンス信号を送信するための識別された上記少なくとも１つの時間ピリオド、及び低減帯域幅にわたってリファレンス信号を送信するための識別された上記少なくとも１つの時間ピリオドに少なくとも部分的に基づいて、上記帯域幅パターンを判定すること、をさらに含む。いくつかの実施形態において、送信される上記リファレンス信号は、セル固有リファレンス信号（ＣＲＳ）を含む。いくつかの実施形態において、上記帯域幅パターンは、周期性を含む。いくつかの実施形態において、上記周期性は、２０ミリ秒（ｍｓ）である。いくつかの実施形態において、上記周期性は、１０ミリ秒（ｍｓ）である。いくつかの実施形態において、上記周期性は、ランダムアクセス（ＲＡ）手続及びシステム情報ブロック（ＳＩＢ）送信時間長のうちの少なくとも一方に少なくとも部分的に基づく。いくつかの実施形態において、高効率キャリア動作において全セル帯域幅にわたって上記リファレンス信号を送信するための上記少なくとも１つの時間ピリオドは、１ミリ秒に相当する。いくつかの実施形態において、上記処理は、上記帯域幅パターンに従ってリファレンス信号が送信される結果として、ワイヤレスデバイス（ＷＤ）についての初期アクセスリクエストを受信すること、をさらに含む。
【００６７】
いくつかの実施形態において、上記処理は、全セル帯域幅にわたってリファレンス信号を送信するための識別された上記少なくとも１つの時間ピリオド、及び低減帯域幅にわたってリファレンス信号を送信するための識別された上記少なくとも１つの時間ピリオドに少なくとも部分的に基づいて、上記帯域幅パターンを判定すること、をさらに含む。いくつかの実施形態において、送信される上記リファレンス信号は、セル固有リファレンス信号（ＣＲＳ）を含む。いくつかの実施形態において、上記帯域幅パターンは、周期性を含む。いくつかの実施形態において、上記周期性は、２０ミリ秒（ｍｓ）である。いくつかの実施形態において、上記周期性は、１０ミリ秒（ｍｓ）である。いくつかの実施形態において、上記周期性は、ランダムアクセス（ＲＡ）手続及びシステム情報ブロック（ＳＩＢ）送信時間長のうちの少なくとも一方に少なくとも部分的に基づく。いくつかの実施形態において、高効率キャリア動作において全セル帯域幅にわたって上記リファレンス信号を送信するための上記少なくとも１つの時間ピリオドは、１ミリ秒に相当する。いくつかの実施形態において、上記処理は、上記帯域幅パターンに従ってリファレンス信号が送信される結果として、ワイヤレスデバイス（ＷＤ）１６についての初期アクセスリクエストを受信すること、をさらに含む。
【００６８】
ネットワークノード１４における代替的な実施形態では、上記処理は、全帯域幅にわたってリファレンス信号を送信するための１つ以上の時間ピリオドを識別すること、を含む。上記処理は、上記１つ以上の時間ピリオドを識別することに基づいて、帯域幅パターンを判定することと、上記帯域幅パターンに従ってリファレンス信号を送信することと、をさらに含む。
【００６９】
以下は、本開示の実施形態の簡潔な概要である。第１のシナリオは、ワイヤレスデバイス（ＷＤ）１６が、セルが動作している時間−周波数リソースの事前の知識無しで、ネットワークへ入ることを試みて、第１のセル１（ｃｅｌｌ１）への初期アクセスを実行することを含み得る。当該セルは、キャリア周波数（Ｆ１）上で動作しており、高効率キャリア動作を採用するネットワークノード１４によりサービスされる。高効率キャリア動作モードにおいて、セルは、リファレンス信号（ＲＳ）（例えば、ＣＲＳ）を、第１の時間ピリオド（Ｔａ）の期間中に全セル帯域幅（Ｂｃ）にわたって送信する一方で、第２の時間ピリオド（Ｔｂ）の期間中に低減帯域幅（Ｂｒ）にわたって送信し、ここで条件Ｂｒ＜Ｂｃを前提とする。例示的な実施形態において、Ｔｂの期間中にワイヤレスデバイス１６のアクティビティは無いか又は低い（例えば、ＷＤはデータを受信しない）。Ｔａの期間中に、ワイヤレスデバイス１６のアクティビティはより高く、又はワイヤレスデバイス１６のアクティビティがより高いことが予期される（例えば、ワイヤレスデバイス１６は、制御チャネルの読取り、データの受信などを行い得る）。Ｔａ及びＴｂの例は、それぞれＤＲＸアクティブ時間（例えば、ＤＲＸオン期間）及びＤＲＸ非アクティブ時間（例えば、ＤＲＸオフ期間）である。時間ピリオド（Ｔａ，Ｔｂ）は、いくつかの実施形態において、周期的に又は非周期的に生起し得る。
【００７０】
第一の実施形態によれば、高効率動作モードでのｃｅｌｌ１は、高効率キャリア関連の動作パラメータ（例えば、Ｔａ及びＴｂ）の値に関わらず、ある周期性（Ｔｃ）を伴う少なくとも時間ピリオドＴｓ（例えば、Ｎｃ個の時間リソース）にわたって全帯域幅（Ｂｃ）上でＲＳを送信する。いくつかの実施形態において、パラメータＴｓ及びＴｃは、例えば、ワイヤレスデバイス１６及び／又はネットワークノード１４において予め定義され若しくは予め決定されることができ；ネットワークノード１４（例えば、コアネットワークノード、他の無線ネットワークノードなど）によりｃｅｌｌ１において構成されることができ；及び／又は、１つ以上のＷＤ１６から受信されるリクエスト又は推奨に基づいて構成されることができる。Ｔｃ及び／又はＴｓの値は、さらに、特定の信号、動作及び／又は手続などの発生に関連付けられ得る。Ｔｃ及び／又はＴｓの値は、いくつかの実施形態において、ｃｅｌｌ１において使用されるＤＲＸサイクル構成に関連付けられ得る。高効率キャリア動作におけるｃｅｌｌ１でのＲＳの周期的な“照射（light up）”の目的は、ワイヤレスデバイス１６が初期セルサーチ、例えば帯域スキャニングを行うことを支援することである。一例として、Ｔｃは、ｃｅｌｌ１におけるランダムアクセス送信機会の周期性に関連付けられることができ、例えば、ＴｃをＲＡ機会の生起の最大の周期性（例えば、２０ｍｓ）に等しくすることができる。
【００７１】
第２の実施形態によれば、ワイヤレスデバイス１６は、パラメータＴｃ及びＮｃに関する情報を取得し、それらを使用して以下のように帯域スキャニング手続の一部としてエネルギー検知を実行し得る。
・  時間ピリオドＴ１（例えば、Ｔ１＝Ｔｃ＝２０ｍｓ）にわたって第１のエネルギーレベル（Ｐ１）を推定、及び
・  Ｔ１の範囲内でＫ回連続する時間ピリオドＴ２にわたって第２のエネルギーレベル（Ｐ２ｉ，ｉ＝１，２，…）のセットを推定（例えば、Ｔ２＝Ｔｓ＝２ｍｓ）。ここで、Ｋ＝Ｔ１／Ｔ２、ｉ≦Ｋ
【００７２】
図１０は、本実施形態に関与し得る手続の例示的なフローチャートを示している。Ｐ１及びＰ２ｉは、関数を用いることにより推定され得る。関数の例は、限定ではないものの、平均、加重平均、第ｘパーセンタイル、及び中央値などを含む。一例として、Ｐ１及びＰ２ｉは、それぞれ推定対象の時間ピリオドＴ１及びＴ２にわたって推定された平均値であってよい。ワイヤレスデバイス１６により推定されるエネルギーレベルの例は、限定ではないものの、受信信号強度インジケーション（ＲＳＳＩ）、雑音を含む受信電力などを含んでもよい。図１０に示した例示的な実装によれば、例示的な処理は、例えばＷＤ１６がブロックＳ１１２において周波数スキャンのための中央周波数を設定することと、ブロックＳ１１４においてタイマＴＭ１を始動することと、を含み得る。上記処理は、タイマＴＭ１が時間ピリオドＴ１よりも大きい（又は等しい）場合に、ブロックＳ１１６において、帯域幅ＢｃでＴ１にわたるフィルタリングによりＰ１を算出すること、を含み得る。上記処理は、ブロックＳ１１８において、Ｐ１が閾値Ｔｈ１よりも大きい（又は等しい）かを判定すること、を含む。そうではない場合（ｎｏ）、上記処理はブロックＳ１２０へ進み、ＷＤ１６はＴＭ１が満了したかを判定し、ＴＭ１が満了した場合には、上記処理はＳ１１２へ戻り、そうでなければ上記処理はブロックＳ１１６へ戻る。一方、Ｐ１が閾値Ｔｈ１よりも大きい（又は等しい）場合（ｙｅｓ）、上記処理はブロックＳ１２２へ進み、ＷＤ１６は、、帯域幅Ｂｃで時間ピリオドＴ２にわたるフィルタリングによりＰ２ｉを算出し得る。
【００７３】
エネルギーレベルを推定すると、ワイヤレスデバイス１６は、ブロックＳ１２４の通りに、Ｐ１とＰ２ｉとを比較して、何らかのキャリアの存在がワイヤレスデバイス１６により検知されたか否かを判定し得る。例えば、図１０に示したように、ＭＡＸ（Ｐ２ｉ）≧（Ｐ１＋δ）である場合、ワイヤレスデバイス１６は、１つ以上のセルが周波数（Ｆ１）で動作していることが検知されたと想定する。そうでない場合、ワイヤレスデバイス１６は、１つ以上のセルが動作しているＦ１が検知されていないと想定し、ブロックＳ１２０へ進み得る。パラメータδは、固定的な又は構成可能なパラメータであり得る。Ｆ１が検知されると、ワイヤレスデバイス１６は、ブロックＳ１２６において、（例えば、プライマリ同期信号（ＰＳＳ）及び／又はセカンダリ同期信号（ＳＳＳを検知するために）セルサーチ手続を進め得る。
【００７４】
別の言い方をすると、条件ＭＡＸ（Ｐ２ｉ）≧（Ｐ１＋δ）が充足される場合、それは、ワイヤレスデバイス１６がチューニングされたＲＦ帯域幅において何らかの信号（例えば、ＣＲＳといったリファレンス／パイロット信号）を検知したというインジケーションであるとみなすことができる。よって、同期信号についてのより精細なサーチを開始することができ、例えば、ワイヤレスデバイス１６がＰＳＳ及びＳＳＳの検知を能動的に開始するなどである。それまでのステップにおけるエネルギー検知動作とこの後のより詳しい精細なサーチとの間の主な差異は、後者が格段に電力を消費することであり、よって後者はワイヤレスデバイス１６がセル（ｃｅｌｌ１）を動作させているキャリアの存在を少なくとも検知した場合にのみ実行されるべきである。
【００７５】
また別の実施形態によれば、周波数スキャニングが狭帯域フィルタリング又は全帯域をカバーする高速フーリエ変換（ＦＦＴ）の複数回の実行によって提供される場合、最も確度の高いキャリア周波数が何であるかを推定する目的で、パワースペクトル密度（ＰＳＤ）のスナップショットが推定され得る。
【００７６】
ＣＲＳ及びトラフィックはＴａ、Ｔｂ及び他のあり得るダウンリンク（ＤＬ）送信に依存して時間的に変化することから、上の説明に従ってＰＳＤは時間的に変化し得る。ここで、電力レベルＰ１及びＰ２ｉを、全帯域にわたって算出されるＰＳＤに基づいて、周波数帯域内の任意のあり得るキャリア周波数について推定することができる。例えば、フィルタリング後の電力Ｐ１を、Ｐ１を対象として上記ピリオドの期間中に電力レベルの平均をとることにより推定することができ、一方で、Ｐ２ｉのレベルは、各ＦＦＴの計算の都度算出され、その対象の帯域幅にわたって平均されたレベルであってよい。このＰＳＤの場合、受信信号の帯域幅を代替的にセルの検知のために使用することができる。ＣＲＳは、中央のリソースブロック（ＲＢ）において継続的に送信され、中央のＲＢの外側ではチューニングによりオン／オフされる。
【００７７】
この実施形態の解決策では、例えば中央のＲＢをどこで見つけ出すことができるかを判定することにより（例えば、ＲＢを搬送するスペクトルのどの部分が常に電力を含むかを推定することにより）、キャリア周波数を推定することができる。それにより、この例示的な推定をＥＡＲＦＣＮごとに実行することを必要としない。代わりに、検知アルゴリズムは、ここで説明したように、常に送信信号が存在している区間を求めてサーチを行うことができる。
【００７８】
ここで議論した提案される解決策の利点は、限定ではないものの、次のうちの１つ以上を含み得る：
・  目標のセルにおいてＣＲＳミューティング／高効率キャリアが採用される場合であっても、初期アクセスの期間中に新たなセルの検知をより良好な電力効率でより迅速に行うことが可能とされる；
・  同期信号と中央周波数とが異なる場合に、初期アクセスの期間中に目標のセルをより高速且つより良好な電力効率で検知することが可能とされる；
・  ワイヤレスデバイス１６が強力なセルの検知に失敗しないことが確実化される；及び／又は
・  ワイヤレスデバイス１６が強力なセルを検知することを可能にすることによりワイヤレスデバイス１６のカバレッジが改善され、結果としてワイヤレスデバイス１６が最も強力なセルにサービスされ又は滞在することになる。
【００７９】
本開示の多様な実施形態をそれら解決策により考えられる利点のいくつかと共に概説したが、多様な実施形態のより詳細な説明について以下に述べる。
【００８０】
ある例示的な実施形態において、ネットワークノード１４によりサービスされるワイヤレスデバイス１６における方法が提供され、当該方法は、セル間のＤＲＸ割当てに関連する情報を取得することと、その測定手続を適応させることと、を含む。一実施形態のある観点によれば、セルへのアクセスを試行するワイヤレスデバイス１６における方法は、以下のステップのうちの少なくとも１つ以上を含む：
【００８１】
ステップ１：例えば予め定義されるルールに基づいて、第１の時間ピリオド（Ｔ１）及び第２の時間ピリオド（Ｔ２）に関する情報を取得する。
【００８２】
ステップ２：第１の時間ピリオドＴ１（例えば、Ｔ１は２０ｍｓ）にわたりキャリア周波数Ｆ１の範囲内で第１の受信エネルギー（Ｐ１）を推定する。
【００８３】
ステップ３：Ｋ回の連続する第２の時間ピリオドＴ２（例えば、Ｔ２は２ｍｓ）にわたりＦ１の範囲内で少なくとも１つの第２のエネルギーレベル又は第２のエネルギーレベル（Ｐ２ｉ）のセットを推定する。ここで、Ｔ２＜Ｔ１。
【００８４】
ステップ４：それまでのステップにおいて推定した少なくともエネルギーレベルＰ１と推定したエネルギーレベルＰ２ｉとの間の関係を判定する。
【００８５】
ステップ５：判定した関係に基づいて、Ｆ１上で１つ以上のセルが動作しているかを判定する。
【００８６】
上のステップ群が以下でより詳細にここで説明される。
【００８７】
［ステップ１］
本ステップにおいて、ワイヤレスデバイス１６は、帯域スキャニング手続の一部として、エネルギー検知に関連するパラメータを取得する。そうしたパラメータの例は、第１の時間ピリオド（Ｔ１）及び第２の時間ピリオド（Ｔ２）である。ワイヤレスデバイス１６は、例えば、予め定義される情報、ワイヤレスデバイス１６による自律的な判定、及び／又はワイヤレスデバイス１６によりネットワークノード１４から受信される情報（例えば、ワイヤレスデバイス１６が前回セルに滞在していた際にワイヤレスデバイス１６へ提供される）、のうちのいずれかに基づいて、これらパラメータを取得することができる。パラメータＴ１は、ある周期性に相当し、その周期でＴ２にわたり全帯域幅上でＲＳが送信される。例えば、２０ｍｓごとに少なくとも１回１サブフレームにわたってＲＳが送信される場合、Ｔ１＝２０ｍｓかつＴ２＝１ｍｓである。
【００８８】
［ステップ２］
本ステップでは、第１のエネルギーレベルがキャリア周波数の範囲内で第１の時間ピリオド（例えば、Ｔ１）にわたり推定され得る。ワイヤレスデバイス１６は、どのセルにも接続又は滞在しておらず、アクセス試行先セルに関する事前の知識も有しないであろう。この手続は、初期アクセス、初期セルサーチ、帯域スキャニング、周波数スキャニングなどとしても知られる。この手続は、ワイヤレスデバイス１６が例えば自身のサービングセルを喪失した場合、又はワイヤレスデバイス１６が当該デバイスをスイッチオンした場合に発生し得る。
【００８９】
典型的には、ワイヤレスデバイス１６は、事業者及び当該デバイスがサポートする様々な帯域と共に構成され、それら帯域はワイヤレスデバイス１６がセルを検知するためにスキャンする様々な特性を有し得る。
【００９０】
ワイヤレスデバイス１６は、例えば無線周波数（ＲＦ）の範囲内のある時間ピリオドにわたるエネルギーの推定、あるキャリア周波数にわたりチューニングされるフィルタといった手段のうちの任意の１つ以上により、セルをどこで検出できるかを検知するために、完全な／全帯域幅にわたって受信エネルギーを推定し得る。
【００９１】
エネルギー推定又はエネルギー検知は、ワイヤレスデバイス１６により、サーチ対象の周波数帯域のうちのある帯域幅の範囲内でＴ１にわたり行われ得る。典型的には、時間フィルタリングの場合、上記帯域幅（ＢＷ）は、ワイヤレスデバイス１６によりサポートされるＷＤ  ＲＦ  ＢＷに等しい。サポートされるＷＤ受信機の帯域幅は、ＷＤのタイプ（例えば、ＷＤカテゴリタイプ）によって変化する。カテゴリＭ１のＷＤは、少なくとも１．４ＭＨｚの帯域幅にわたって信号を受信することができ、カテゴリＭ２のＷＤは、少なくとも５ＭＨｚの帯域幅にわたって信号を受信することができる。
【００９２】
ある例において、Ｔ１は、予め定義され又は予め決定される値（例えば、２０ｍｓ）であり得る。他の例において、Ｔ１は、アップリンク及び／又はダウンリンクにおいてあるタイプの信号を送信することのできる周期性に関連付けられ得る。例えば、セルにおける特定の信号の送信開始の前、又はそうした信号の送信の期間中に、セルは全ＢＷにわたってＲＳを送信する。これが以下で若干の具体的な例と共に説明される。
【００９３】
ある具体的な例において、Ｔ１を、ネットワーク内のランダムアクセス（ＲＡ）機会の周期性に関連付け又は当該周期性の関数とすることができ、例えば、そうしたＲＡ機会のあり得る最長の周期性（例えば、２０ｍｓ）であってよい。例えば、セルは、当該セルのあり得る最長のＲＡ送信の開始の直前に、２ｍｓにわたって全ＢＷ上でＲＳを送信する。これは、２０ｍｓのいずれの時間ピリオド内においても、セルにおいて全ＢＷにわたってＲＳが送信される少なくとも１回の２ｍｓの期間が存在することを、ワイヤレスデバイス１６が知得することを可能にする。
【００９４】
また別の例において、Ｔ１を、あるシステム情報ブロック（ＳＩＢ）の送信周期性に関連付け又は当該周期性の関数とすることができる（例えば、Ｔ１＝８０ｍｓ）。ＳＩＢの例は、限定ではないものの、ＳＩＢ１、ＳＩＢ１−ＢＲ、ＳＩＢ１−ＮＲ、及びＳＩＢ２などを含む。例えば、１０ｍｓごとに、セルは、ＳＩＢ１の送信開始の直前の少なくとも２ｍｓにわたって全ＢＷ上でＲＳを送信する。セルは、ＳＩＢ１送信の期間中に全ＢＷにわたってＲＳを送信してもよく、ＳＩＢ１送信の直後の少なくとも１つのサブフレームにおいて全ＢＷにわたってＲＳを送信してもよい。
【００９５】
上記推定は、推定された信号の強度に関するインジケーションを提供し得るパワースペクトル密度（ＰＳＤ）又はＲＳＳＩに帰結し得る。ピリオドＴ１にわたって推定されたエネルギーをここでＰ１と表しており、これはＴ１の期間中に検知された最大エネルギーに相当してもよい。
【００９６】
いくつかの実施形態において、ＷＤは、検知されたエネルギーの強度を推定するために、様々な関数を使用してよい。そうした関数の例は、限定ではないものの、平均、加重平均、第ｘパーセンタイル、及び中央値などを含む。一例として、Ｐ１及びＰ２ｉのセットは、それぞれ推定対象の時間ピリオドＴ１及びＴ２にわたって推定された平均値である。エネルギーレベルの例は、限定ではないものの、ＲＳＳＩ、及び雑音を含む受信電力などを含む。
【００９７】
一例として、推定されたエネルギーは、例えば図１１に似ているかもしれない、パワースペクトル密度（ＰＳＤ）のプロットに帰結し得る。ＰＳＤは、ワイヤレスデバイス１６によりエネルギーが推定される単位帯域幅あたりの合計電力である。ここで想定され得ることとして、ＲＳ送信から推定されたエネルギーは、中央周波数のみにあり、又は、セル帯域幅のうちの同期信号が送信される部分にある。いくつかの実施形態ではこの領域においてＲＳは常に送信され得ることから、エネルギーレベルにおいて存在し得る変動は小さい。
【００９８】
しかしながら、システム情報ブロックタイプ１（ＳＩＢ１）又はランダムアクセスチャネル（ＲＡＣＨ）機会の送信と同時に、同じ長さ（Ｔ１）の他の時間ピリオドにわたってエネルギーが推定される場合、推定されるＰＳＤは、例えば図１２に示すように、異なる様相を呈し得る。図１２では、Ｔ１−ｂにおいてＳＩＢ１送信がスケジューリングされるために、推定されたエネルギーレベルはピリオドＴ１−ａと比較してＴ１−ｂにおいて増加しており、ネットワークはその期間中に全帯域幅にわたってＲＳ送信を提供する。ＲＳはより多数のＲＢ上で送信されることから、これはワイヤレスデバイス１６におけるより高い受信エネルギーレベルに帰結する。
【００９９】
［ステップ３］
本ステップにおいて、ワイヤレスデバイス１６は、キャリア周波数の範囲内で少なくとも１回の第２の時間ピリオド（例えば、Ｔ２）にわたって少なくとも１つの第２のエネルギーレベルを推定し得る。例えば、ワイヤレスデバイス１６は、（例えば、上で説明したＷＤ  ＲＦ  ＢＷといった、周波数帯域のある部分にチューニングされた）あるキャリア周波数においてＴ１の範囲内でＫ回連続する時間ピリオドＴ２にわたって受信／検知エネルギー（例えば、Ｐ２ｉセット）を推定し得る。Ｐ１及びＰ２ｉの値は、同じＢＷにわたって、及び周波数の同じ部分にわたって推定され得る。
【０１００】
パラメータＴ１及びＴ２は、Ｔ２がＴ１よりも小さい（Ｔ２＜Ｔ１）という意味において関連する。Ｔ１はＫ回の第２の時間ピリオド（例えば、Ｔ２）をも含むことから、したがっていくつかの実施形態においてＫは２よりも大きい（Ｋ≧２）。ある具体的な例において：Ｔ１＝２０ｍｓ、Ｋ＝１０、及びＴ２＝２ｍｓである。他の例において：Ｔ１＝２０ｍｓ、Ｋ＝２０、及びＴ２＝１ｍｓである。Ｐ２ｉがＴ１の範囲内の全てのＴ２にわたって推定される場合、Ｋ＝Ｔ１／Ｔ２である。Ｔ１の範囲内のＴ２にわたる推定されたエネルギーレベルのセットは、Ｐ２ｉと表されており、ここでｉはＴ２の範囲内のＫ回連続する時間ピリオドにおけるｉ番目の要素を指す。
【０１０１】
受信／検知エネルギーを推定するための方法は、ここまでにステップ２において説明したものと同様だが、いくつかの相違があり得る。ある実施形態において、その差異とは、それがより短い時間ピリオドにわたって推定されることである。Ｔ１及びＴ２にわたって推定されるエネルギーの間の関係の一例が図１３に示されている。
【０１０２】
［ステップ４］
本ステップでは、推定された第１のエネルギーレベルと推定された少なくとも１つの第２のエネルギーレベルとの間の関係が判定され得る。ある実施形態において、ワイヤレスデバイス１６は、時間ピリオドＴ１にわたる推定されたエネルギーレベルＰ１と、Ｋ個の長さＴ２の時間ピリオドにわたる（例えば、Ｔ１の範囲内のＫ個の連続するＴ２にわたる）推定されたエネルギーレベルＰ２ｉのセットとの間の関係を判定する。
【０１０３】
判定された関係は、ワイヤレスデバイス１６により、当該ワイヤレスデバイス１６によりＰ１及びＰ２ｉが推定されたキャリア周波数（Ｆ１）上で１つ以上のセルが動作しているかを判定するためにさらに使用され得る。
【０１０４】
Ｆ１上で１つ以上のセルが動作しているか否かを判定するための上記関係は、次の通りの一般的な関数（Ｆ）を用いて表され得る：Ｐ＝Ｆ（Ｐ１，Ｐ２ｉ，δ）、ここで、δは、例えばＷＤカテゴリ、受信帯域幅、ネットワーク内の干渉レベル、Ｐ１などといったいくつかの因子に依存し得るマージンである。例えば、Ｐ１がある閾値（例えば、Ｐ１＝ＭＡＸ（Ｐ２ｉ））を上回る場合、δ＝０である。このパラメータは、固定的であってもよく、又はネットワーク側により構成可能なパラメータであってもよい。固定値は、予め定義され、又はワイヤレスデバイス１６により自律的に決定され得る。
【０１０５】
そうした関数又は関係のある固有の実現法又は例を次のように表すことができる：ＭＡＸ（Ｐ２ｉ）≧（Ｐ１＋δ）である場合、ワイヤレスデバイス１６は、Ｆ１（例えば、Ｐ１及びＰ２ｉが推定されたＢＷ）上で１つ以上のセルが動作しているものとし、そうではない場合、ワイヤレスデバイス１６は、Ｆ１上で動作しているセルは無いものとする：ここで、ＭＡＸ（Ｐ２ｉ）は、Ｔ１の範囲内のＫ個の連続する時間ピリオドのうちで推定された最大の値に相当する。ワイヤレスデバイス１６は、Ｘパーセンタイルが使用される場合、Ｐ１及びＰ２ｉという推定されたエネルギーレベルを比較するために同じ関数を適用してよい。例えば、Ｐ１のレベルを判定するためにＸパーセンタイルが使用される場合、同じ関数をＰ２ｉのたに使用することができる。
【０１０６】
本ステップの結果は、推定された２つの電力レベルの間の関係を示す絶対値であり得る（例えば、ｍａｘ（Ｐ２ｉ）とＰ１との間、Ｐ２ｉとＰ１＋δとの間など）。いくつかの実施形態において、それは上記条件が充足されるか否かを示すビットインジケータであってもよい。
【０１０７】
［ステップ５］
本ステップにおいて、オプションではあるが、ワイヤレスデバイス１６は、（ステップ４における）Ｐ１とＰ２ｉのセットとの間の関係の判定結果を使用して、ワイヤレスデバイス１６が周波数Ｆ１にわたるセルサーチを実行すべきかをさらに決定する。
【０１０８】
例えば、ワイヤレスデバイス１６は、Ｆ１上で１つ以上のセルが動作していると判定される場合、Ｆ１上のセルを探索するためのセルサーチを実行する次のステップを進めるものとする。しかし、ワイヤレスデバイス１６は、Ｆ１上で動作しているセルが無いと判定される場合、Ｆ１上のセルを探索するためのセルサーチを実行しないものとする。
【０１０９】
セルサーチを実行するために、例えば、ワイヤレスデバイス１６は、Ｆ１上の受信信号と、物理セルアイデンティティに対応する予め定義されたシーケンスのセットとの相関演算を行うものとする。ワイヤレスデバイス１６は、セルにおいて同期信号が送信される時点を検知することを試行し、最終的にそのセルの物理セルＩＤを見つけ出す。
【０１１０】
また別の例示的な実施形態において、セルへのアクセスを試行するワイヤレスデバイス１６における方法は、以下のステップのうちの少なくとも１つ以上を含む：
【０１１１】
ステップ１：例えば予め定義されるルールに基づいて、第１の時間ピリオド（Ｔ１）及び第２の時間ピリオド（Ｔ２）に関する情報を取得する。
【０１１２】
ステップ２：第１の時間ピリオドにわたる１回以上の第２の時間ピリオドで、帯域のＰＳＤを推定する。さらなる実施形態において、時間Ｔ１（例えば、Ｔ１は２０ｍｓ）の期間中に複数回、少なくともＴ２ｍｓ（例えば、Ｔ２は２ｍｓ）ごとにＰＳＤを推定する。
【０１１３】
ステップ３：期待される帯域幅パターンを、周波数帯域の推定されたＰＳＤに対応する測定された帯域幅パターンと比較することにより、当該周波数帯域における１つ以上のキャリア周波数を判定する。例えば、さらなる実施形態において、周波数帯域内の１つ又は複数のキャリア周波数が検知され、ここで：
・  中央のリソースブロック群のＢＷに対応する周波数キャリアにおいて送信は連続的であり；及び／又は、
・  Ｔ１ｍｓ長の測定シーケンスの期間中に、全システムＢＷに等しいＢＷを伴う信号をＰＳＤが示す、少なくとも１つの測定サンプルが存在し、これは上述したように推定される連続的な送信の周りで対称的であるとは知られていないであろう。
【０１１４】
ステップ４：判定された関係に基づいて、セルからの送信信号の中央周波数であり得る周波数を識別する。
【０１１５】
上のステップ群が以下でより詳細にここで説明される。
【０１１６】
［ステップ１］
これは、ここまでに説明した第１の実施形態におけるステップ１と同一の形で又は同様に実装され得る。本ステップにおいて、ワイヤレスデバイス１６は、帯域スキャニング手続の一部として、エネルギー検知に関連するパラメータを取得し得る。そうしたパラメータの例は、第１の時間ピリオド（Ｔ１）及び第２の時間ピリオド（Ｔ２）である。ワイヤレスデバイス１６は、例えば、予め定義される情報、ワイヤレスデバイス１６による自律的な判定、及び／又はワイヤレスデバイス１６によりネットワークノード１４から受信される情報（例えば、ワイヤレスデバイス１６が前回セルに滞在していた際にワイヤレスデバイス１６へ提供される）、のうちのいずれかに基づいて、これらパラメータを取得することができる。パラメータＴ１は、Ｔ２にわたり全帯域幅上でＲＳが送信される周期性に相当し得る。例えば、２０ｍｓごとに少なくとも１回１サブフレームにわたってＲＳが送信される場合、Ｔ１＝２０ｍｓかつＴ２＝１ｍｓである。
【０１１７】
［ステップ２］
本ステップにおいて、ワイヤレスデバイス１６は、どのセルにも接続又は滞在しておらず、アクセス試行先セルに関する事前の知識も有しないであろう。この手続は、初期アクセス、初期セルサーチ、帯域スキャニング、周波数スキャニングなどとしても知られる。この手続は、ワイヤレスデバイス１６が例えば自身のサービングセルを喪失した場合、又はワイヤレスデバイス１６が当該デバイスをスイッチオンした場合に発生し得る。
【０１１８】
典型的には、ワイヤレスデバイス１６は、事業者及び当該デバイスがサポートする様々な帯域と共に構成され、それら帯域はワイヤレスデバイス１６がセルを検知するためにスキャンする様々な特性を有し得る。
【０１１９】
ワイヤレスデバイス１６は、周波数帯域全体にわたって複数のＦＦＴの実行を進めることにより、ＰＳＤを推定する。各ＦＦＴの実行により、ワイヤレスデバイス１６によりサポートされるＢＷにわたってＰＳＤが算出される。次回の実行において、中央周波数は、ワイヤレスデバイス１６によりサポートされるＢＷの分だけ移動されてもよい。パワーの分散を推定する相異なるＦＦＴの実行から合成されたこのＰＳＤによって、高確率でセルをどこで検知できるかを、例えば以下の手段のうちの任意の１つ以上により検知することができる：
・  ここまでに説明したような全周波数帯域にわたる受信信号のＰＳＤ推定ごとに、複数のＦＦＴで、合計時間Ｔ１ｍｓにわたって、Ｔ２ｍｓ以下の時間で分離された複数のＰＳＤを計算し；並びに／又は、
・  それら推定を用いて、信号ＢＷが経時的にいかに変化するか、及びそれによりキャリア周波数の中央周波数がどこに位置するかを判定する。
【０１２０】
ＰＳＤ推定は、例えば、サーチ対象の周波数帯域の範囲内で、Ｔ１ｍｓにわたってＴ２ごとにワイヤレスデバイス１６により行われ得る。第１の実施形態のステップ２において、いかにしてＴ１が設定され且つそれが何に関連付けられるかに関する例が与えられている。同じ例が、この第２の実施形態についても有効である。その推定は、周波数ごとの推定された信号の強度に関するインジケーションを与えるＰＳＤに帰結する。
【０１２１】
ワイヤレスデバイス１６は、ある送信信号のキャリア周波数を推定するために様々な関数を使用し得る。一例として、推定されたエネルギーは、例えば図１１に似ているかもしれない、ＰＳＤのプロットに帰結し得る。ＰＳＤは、ワイヤレスデバイス１６によりエネルギーが推定される単位帯域幅あたりの合計電力である。ここで想定され得ることとして、ＲＳ送信から推定されたエネルギーは、中央周波数のみにあり、又は、セル帯域幅のうちの同期信号が送信される部分にある。いくつかの実施形態では、この領域においてＲＳは常に送信されることから、エネルギーレベルにおいて存在し得る変動は小さい。図１４は、ＲＳが低減帯域幅のみにわたって送信される場合の、１つのセルの推定されるＰＳＤの一例を示している。
【０１２２】
このピリオドの期間中にも他の不定期の送信は存在し得るが、経時的に連続して送信が行われているのは中央のＲＢのみであり、そのため、それはＰＳＤサンプル間で変化するであろう。
【０１２３】
ＳＩＢ１又はＲＡＣＨ機会の送信と同時に、Ｔ１ピリオドの期間中の他の時間ピリオドの期間中にＰＳＤが推定される場合、推定ＰＳＤは（例えば、図１２のように）違った形に見えるかもしれない。図１２では、このサンプルの期間中にＳＩＢ１送信がスケジューリングされ、ネットワークはその期間中に全帯域幅にわたってＲＳ送信を提供し得るために、推定ＢＷは全システムＢＷをカバーする。図１５は、固定的な及び低減されたＢＷ上でのＲＳ送信に加えて、ＷＤによる受信のために全ＢＷ上でＲＳが構成されたまた別のＰＳＤサンプルの期間中の推定されたＰＳＤの一例を示している。図１６は、あるＢＷパターンに対応するＴ１ｍｓの期間中のＰＳＤのシーケンスの一例を示している（例えば、期待されるＢＷパターンに適合する推定ＢＷパターン）。
【０１２４】
［ステップ３］
本ステップでは、期待される帯域幅パターンを測定された帯域幅パターンと比較することにより、周波数帯域内の１つ以上のキャリア周波数が判定され得る。測定された帯域幅パターンは、例えば上のステップにおいて議論したように、周波数帯域の推定されたパワースペクトル密度に対応し得る。別の言い方をすると、ワイヤレスデバイス１６は、キャリア周波数を推定する。
【０１２５】
期待される帯域幅パターンは、例えば高効率キャリア動作においてセルの周波数キャリア上でＰＳＤを推定する際に導かれるべきＢＷパターンといった、予め決定される帯域幅パターンに相当し得る。本開示の実施形態に従って、ワイヤレスデバイス１６がセルへのアクセスを試行する際に測定したＢＷパターンとの比較を行うことができるように、期待される帯域幅パターンのインジケーションがＷＤ１６において記憶されてもよい。ある実施形態では、ある周波数キャリア上の限られたＢＷにおいてＲＳが送信される際に使用されるＢＷに対応する推定ＢＷを伴う信号が全てのＰＳＤ推定において検知される場合において、その信号のＢＷが第１の時間ピリオド（例えば、Ｔ１ｍｓ）の期間中の第２の時間ピリオド（例えば、Ｔ２ｍｓ）の各回にて取得される１つ又は複数の連続的なＰＳＤサンプルの期間中により広いときは、上の通りの特性を伴うセルが利用可能である可能性が高い。
【０１２６】
［ステップ４］
いくつかの実施形態においてオプションであると考えられ得る本ステップでは、ワイヤレスデバイス１６は、推定した確度の高いキャリア周波数についての判定の結果を使用して、セルサーチをどこで行うべきかを決定する。例えば、ワイヤレスデバイス１６は、確度の高いキャリア周波数が複数存在すると判定される場合、最も強い確度の高いキャリアを対象としてセルサーチを開始することができる。他のオプションは、ワイヤレスデバイス１６がそれらキャリアのうちのいくつかに滞在していることを以前に知得していて、そのために確度の高い対応するキャリアを対象としてセルサーチを開始し得ることである。
【０１２７】
セルサーチを実行するために、例えば、ワイヤレスデバイス１６は、Ｆ１上の受信信号と、物理セルアイデンティティに対応する予め定義されたシーケンスのセットとの相関演算を行うものとする。ワイヤレスデバイス１６は、セルにおいて同期信号が送信される時点を検知することを試行し、最終的にそのセルの物理セルＩＤを見つけ出す。
【０１２８】
ネットワークノード１４（例えば、ｅＮｏｄｅＢ）についてのまた別の例示的な実施形態において、ここで説明したネットワークノード１４により実行される方法は、以下のように概説され得る：
【０１２９】
ステップ１：高効率キャリア動作モードにおいて動作するセル内で全帯域幅のＲＳ送信についての必要性を判定する。他の言い方をすると、ネットワークノード１４は、全帯域幅にわたってリファレンス信号を送信するための１つ以上の時間ピリオドを識別し、及び、高効率キャリア動作モードでのように低減帯域幅にわたってリファレンス信号を送信するための１つ以上の時間ピリオドをも識別し得る。
【０１３０】
ステップ２：セルにおける全帯域幅でのＲＳ送信のためのパターンを判定する。他の言い方をすると、ネットワークノード１４は、上のステップ１での１つ以上の時間ピリオドの識別に基づいて、ＢＷパターンを判定し得る。
【０１３１】
ステップ３：上のステップ２において判定されたパターンに従って、ＲＳを送信する。
【０１３２】
ステップ４：セルへのアクセスを試行するワイヤレスデバイス１６からの初期アクセスリクエストを受信する。
【０１３３】
上のステップ群が以下でより詳細にここで説明される。
【０１３４】
［ステップ１］
本ステップにおいて、ネットワークノード１４は、高効率キャリア動作モードで動作するように構成されるセル（例えば、ｃｅｌｌ１）において全帯域幅にわたってＲＳを送信する必要性を判定し得る。本実施形態は、キャリア周波数Ｆ１上で動作しているセルにおいては（例えば、高効率キャリア動作でのように）低減帯域幅上でＲＳが送信されるという前提を基礎とし得る。高効率キャリア動作モードでは、ネットワークノード１４がセル帯域幅全体にわたってリファレンス信号を送信することを要する機会もあり得る。全セルＢＷにわたってＲＳが送信されるそれら機会のいくつかは、限定ではないものの：ＳＩＢを含むサブフレーム；ページング機会；物理ダウンリンク共有チャネル（ＰＤＳＣＨ）がスケジューリングされるサブフレーム、ＤＲＸオン期間、構成済みのマシンタイプ通信（ＭＴＣ）物理ダウンリンク制御チャネルモニタリング（ＭＰＤＣＣＨ）モニタリング、ランダムアクセスチャネル（ＲＡＣＨ）機会（例えば、Ｍｓｇ２／４受信の期間中）などを含み得る。
【０１３５】
また、より大きい帯域幅にわたるＲＳ送信が、ウォームアップピリオド及びクールダウンピリオドの期間中に（例えば、ワイヤレスデバイス１６がチャネルを推定することを可能にするために、物理ランダムアクセスチャネル（ＰＲＡＣＨ）におけるＭＳＧ１の前に）生起してもよい。いくつかのケースでは、ネットワークノード１４は、（例えば、ＷＤ１６が帯域スキャニングを行うことを可能にするための）ある手続をサポートするために、依然として周波数Ｆ１上で時間Ｔ（例えば、４ｍｓ）という期間にわたり全帯域幅（Ｂｃ）上でＲＳ送信を提供しなければならないかもしれない。ある例において、ネットワークノード１４は、あるタイプのＷＤ１６の存在に基づいて、全ＢＷにわたるＲＳの送信の対象のワイヤレスデバイス１６を判定してもよい（例えば、ある数のレガシーデバイス若しくは他のデバイスがＣＲＳミューティングの機能をサポートしないこと、又は高効率キャリア動作でセル内の全ての手続を行うことができないことを推定する）。ネットワークノード１４は、そうしたＷＤ１６の存在を、統計又は過去の履歴などに基づいて検知することができる。他の例は、２つ以上の周波数キャリアでネットワークが動作するケースである。ネットワークがワイヤレスデバイス１６に特定のキャリア周波数に滞在することを奨励するように構成される場合、ネットワークノード１４は、ワイヤレスデバイス１６がそのキャリアを高確率でサーチできるように、より頻繁に全帯域幅にわたってＲＳを送信し得る。
【０１３６】
［ステップ２］
本ステップにおいて、ネットワークノード１４は、セル内でＦ１上で全ＢＷを送信する際に従うべきパターンを判定し得る（例えば、いつ、どの程度の長さで、及び、セル内で全帯域幅送信を行うべき周期性）。当該パターンは、ネットワークノード１４が全帯域幅でのＲＳ送信を少なくとも時間的にいつ要するのか又はさもなければいつ提供するように決定するかを指し示す。例えば、当該パターンは、少なくとも以下のパラメータから構成され得る：
・  セルの全ＢＷにわたりＲＳが送信されるべき周期性。例えば、全帯域幅でのＲＳ送信は、時間ピリオド（Ｔｃ）（例えば、Ｔｃ＝２０ｍｓ）ごとに１回周期的に行われ得る。
・  ピリオドＴｃごとに全ＢＷにわたってＲＳが送信されることになる時間長（Ｔｓ）。
【０１３７】
Ｔｃ及びＴｓの値は、予め定義され又はネットワークノード１４により構成可能であり得る。それらは、構成可能である場合には、信号品質、動作のタイプ、又はＲＳが使用されようとしている手続（例えば、帯域スキャニング）といったいくつかの要因に依存し得る。
【０１３８】
パラメータＴｃ及びＴｓは、さらに、あるタイプの信号の送信及び／又は受信がセル内で生じ得る機会に関連付けられてもよい。それら機会は、転じて、ある手続（例えば、ランダムアクセス（ＲＡ）手続、セル内のＳＩＢ送信など）に関連する。そうした機会の例は、限定ではないものの、ＲＡ送信機会、及びＳＩＢ送信期間などを含む。例えば、Ｔｃは、ＲＡ送信のある得る最長の周期性に相当し得る。これは、ここまでに議論したワイヤレスデバイス１６の実施形態のステップ２において広く説明されている。同じ説明及び例が、いくつかの実施形態においてここでも同じように当てはまる。ワイヤレスデバイス１６は、これらパラメータＴｃ及びＴｓで、帯域スキャニングを目的とするエネルギー検出のためのそれぞれＴ１及びＴ２の対応する値を判定し得る。例えば、ワイヤレスデバイス１６は、Ｔ１及びＴ２を次のように判定し得る：Ｔ１＝Ｔｃ、及びＴ２＝Ｔｓ
【０１３９】
全帯域幅又はより大きい帯域幅でのＲＳ送信に加えて、ネットワークノード１４は、上記及び下記で識別した機会の前の数個のサブフレームにわたってＲＳ送信を提供してもよい。いくつかの実施形態において、それらピリオドは、プリアンブル（又はウォームアップピリオド）及びポストアンブル（又はクールダウンピリオド）と呼ばれる。
【０１４０】
他の例において、ネットワークノード１４は、Ｔｓにわたってより大きい帯域幅上でＲＳを送信してもよく、それは全帯域幅よりは小さい。例えば、同期信号が送信される帯域幅において行われるＲＳ送信に加えて、ワイヤレスデバイス１６が受信向けに構成される帯域幅上でＲＳを送信してもよい。
【０１４１】
本ステップにおいて判定されたパターンは、前のステップにおいて識別したような様々な機会（並びに、それらのプリアンブルピリオド及びポストアンブルピリオド）へさらにマッピングされてよい。例えば、ある周期性に従って、ページング及びシステム情報送信が行われ得る。一例として、判定されたパターンは、上記周期性（Ｔｃ）に対応し、プリアンブル及びポストアンブルを含むＳＩＢの時間長は時間長Ｔｓに対応するであろう。例えば、ＳＩＢの周期性が８０ｍｓである場合、Ｔｃ＝８０ｍｓである。ＳＩＢの時間長が１ｍｓ、プリアンブルが２ｍｓ、ポストアンブルが１ｍｓである場合、Ｔｓ＝２ｍｓである（ＳＩＢ時間長）。但し、ワイヤレスデバイス１６は、Ｔ１＝Ｔｓである一方でＴ２＝４ｍｓであると想定してもよい（ＳＩＢ並びにポスト及びプリアンブルサブフレームの時間長）。
【０１４２】
他の例において、セルＢＷよりも小さいＢＷを有するワイヤレスデバイス１６はセル内のＲＡ送信機会の最長ピリオドごとに一度、Ｎ１個の時間リソース（例えば、２ｍｓ）にわたってＲＳが送信されることを想定するものとする、というルールが決定されてもよい。
【０１４３】
［ステップ３］
本ステップにおいて、ネットワークノード１４は、前のステップにおいて判定されたパターンに従って、上記帯域幅にわたってＲＳを送信し得る。
【０１４４】
［ステップ４］
いくつかの実施形態においてオプションであると考えられ得る本ステップでは、ネットワークノード１４は、（ワイヤレスデバイス１６の実施形態を参照しながらここまでに議論した通りの）本開示の実施形態に従ってセルを最初に識別し当該セルへのアクセスを試行しているワイヤレスデバイス１６からのリクエストを受信する。これは、全帯域幅にわたるＲＳ送信の周期的な又は非周期的な照射の結果であり、あるいはワイヤレスデバイス１６が低減帯域幅にわたるＲＳ送信に基づいてセルの検知に成功したためでもあり得る。ネットワークノード１４は、そのＲＡリクエストをその内容に基づいて処理し、ランダムアクセスレスポンス（ＲＡＲ）メッセージを送信し得る。
【０１４５】
［いくつかの追加的な実施形態］
実施形態Ａ１：
ワイヤレスデバイスのための方法であって、
第１の時間ピリオド及び前記第１の時間ピリオドよりも少ない第２の時間ピリオドを判定することと、
キャリア周波数の範囲内で前記第１の時間ピリオドにわたって第１のエネルギーレベルを推定することと、
前記キャリア周波数の範囲内で少なくとも１回の前記第２の時間ピリオドにわたって少なくとも１つの第２のエネルギーレベルを推定することと、
推定された前記第１のエネルギーレベルと推定された前記少なくとも１つの第２のエネルギーレベルとの間の関係を判定することと、
判定された前記関係に基づいて、前記キャリア周波数上で１つ以上のセルが動作しているかを判定することと、を含む方法。
【０１４６】
実施形態Ａ２：
実施形態Ａ１に記載の方法であって、  前記少なくとも１つの第２のエネルギーレベルを推定することは、
前記キャリア周波数の範囲内で複数回続く前記第２の時間ピリオドにわたって前記少なくとも１つの第２のエネルギーレベルを推定すること、を含む、方法。
【０１４７】
実施形態Ａ３：
実施形態Ａ１及びＡ２のいずれか１つに記載の方法であって、
前記キャリア周波数上で前記１つ以上のセルが動作していると判定することに応じて、前記キャリア周波数上でセルサーチを実行すること、をさらに含む、方法。
【０１４８】
実施形態Ｂ１：
ワイヤレスデバイスのための方法であって、
第１の時間ピリオド及び前記第１の時間ピリオドよりも短い第２の時間ピリオドを判定することと、
前記第１の時間ピリオドの期間中の１回以上の前記第２の時間ピリオドで、周波数帯域のパワースペクトル密度（ＰＳＤ）を推定することと、
期待される帯域幅パターンを、前記周波数帯域の推定された前記パワースペクトル密度に対応する測定された帯域幅パターンと比較することにより、前記周波数帯域における１つ以上のキャリア周波数を判定することと、を含む方法。
【０１４９】
実施形態Ｂ２：
実施形態Ｂ１に記載の方法であって、  前記ＰＳＤを推定することは、
前記第１の時間ピリオドの期間中の前記第２の時間ピリオドの各回ごとに、前記周波数帯域の前記ＰＳＤを推定すること、を含む、方法。
【０１５０】
実施形態Ｂ３：
実施形態Ｂ１及びＢ２のいずれか１つに記載の方法であって、
前記周波数帯域における前記１つ以上のキャリア周波数の前記判定に基づいて、ネットワークノードにより送信される信号の中央周波数を識別すること、をさらに含む、方法。
【０１５１】
実施形態Ｂ４：
実施形態Ｂ１、Ｂ２及びＢ３のいずれか１つに記載の方法であって、
前記周波数帯域における前記１つ以上のキャリア周波数を判定することに応じて、前記１つ以上のキャリア周波数のうちの少なくとも１つでセルサーチを実行すること、をさらに含む、方法。
【０１５２】
実施形態Ｂ５：
実施形態Ｂ１に記載の方法であって、
前記期待される帯域幅パターンは、高効率キャリア動作に対応する予め決定された帯域幅パターンである、方法。
【０１５３】
実施形態Ｂ６：
実施形態Ｂ１に記載の方法であって、
前記期待される帯域幅パターンは、リファレンス信号送信パターンに対応する予め決定された帯域幅パターンである、方法。
【０１５４】
実施形態Ｂ７：
実施形態Ｂ６に記載の方法であって、
前記リファレンス信号送信パターンは、不連続受信（ＤＲＸ）非アクティブ時間ピリオドの期間中の、ＤＲＸアクティブ時間ピリオドの期間中の帯域幅と比較して低減された帯域幅にわたる、ネットワークノードによる送信に対応する、方法。
【０１５５】
実施形態Ｃ１：
高効率キャリア動作のために構成されるネットワークノードのための方法であって、
全帯域幅にわたってリファレンス信号を送信するための１つ以上の時間ピリオドを識別することと、
前記１つ以上の時間ピリオドを識別することに基づいて、帯域幅パターンを判定することと、
前記帯域幅パターンに従ってリファレンス信号を送信することと、を含む方法。
【０１５６】
実施形態Ｃ２：
実施形態Ｃ１に記載の方法であって、
低減帯域幅にわたって前記リファレンス信号を送信するための１つ以上の時間ピリオドを識別すること、をさらに含み、前記帯域幅パターンを判定することは、前記全帯域幅にわたって前記リファレンス信号を送信するための前記１つ以上の時間ピリオドを識別することに基づいて、及び、前記低減帯域幅にわたって前記リファレンス信号を送信するための前記１つ以上の時間ピリオドを識別することに基づいて、前記帯域幅パターンを判定すること、をさらに含む、方法。
【０１５７】
実施形態Ｃ３：
実施形態Ｃ１及びＣ２のいずれか１つに記載の方法であって、
前記リファレンス信号を送信した後に、前記ネットワークノードとの通信を試行するワイヤレスデバイスからの初期アクセスリクエストを受信すること、をさらに含む、方法。
【０１５８】
実施形態Ｄ１：
ネットワークノードであって、上述した実施形態Ｃの方法のいずれかを前記ネットワークノードに実行させるように構成される処理回路、を備えるネットワークノード。
【０１５９】
実施形態Ｄ２：
ワイヤレスデバイスであって、上述した実施形態Ａ及びＢの方法のいずれかを前記ワイヤレスデバイスに実行させるように構成される処理回路、を備えるワイヤレスデバイス。
【０１６０】
実施形態Ｄ３：
ワイヤレスデバイスであって、
判定モジュールであって、
第１の時間ピリオド及び前記第１の時間ピリオドよりも短い第２の時間ピリオドを判定し、
推定された第１のエネルギーレベルと少なくとも１つの第２のエネルギーレベルとの間の関係を判定し、
判定された前記関係に基づいて、前記キャリア周波数上で１つ以上のセルが動作しているかを判定する、ように構成される判定モジュールと、
推定モジュールであって、
キャリア周波数の範囲内で前記第１の時間ピリオドにわたって前記第１のエネルギーレベルを推定し、
前記キャリア周波数の範囲内で少なくとも１回の前記第２の時間ピリオドにわたって前記少なくとも１つの第２のエネルギーレベルを推定する、ように構成される推定モジュールと、
を備えるワイヤレスデバイス。
【０１６１】
実施形態Ｄ４：
ワイヤレスデバイスであって、
判定モジュールであって、
第１の時間ピリオド及び前記第１の時間ピリオドよりも短い第２の時間ピリオドを判定し、
期待される帯域幅パターンを、周波数帯域の推定されたパワースペクトル密度に対応する測定された帯域幅パターンと比較することにより、前記周波数帯域における１つ以上のキャリア周波数を判定する、ように構成される判定モジュールと、
推定モジュールであって、
前記第１の時間ピリオドの期間中の前記第２の時間ピリオドの少なくとも各回ごとに、前記周波数帯域の前記パワースペクトル密度を推定する、推定モジュールと、
を備えるワイヤレスデバイス。
【０１６２】
実施形態Ｄ５：
ネットワークノードであって、
全帯域幅にわたってリファレンス信号を送信するための１つ以上の時間ピリオドを識別するように構成される識別モジュールと、
前記１つ以上の時間ピリオドを識別することに基づいて、帯域幅パターンを判定するように構成される判定モジュールと、
前記帯域幅パターンに従ってリファレンス信号を送信するように構成される送受信機モジュールと、
を備えるネットワークノード。
【０１６３】
また別の実施形態として、ＣＲＳ送信をネットワークにより中央の６つの物理リソースブロック（ＰＲＢ）において提供することが考えられた。加えて、例えば次に挙げるような、セル帯域幅のうちＷＤ（例えば、ＷＤ１６）が受信又は送信のために構成され得る部分にわたってＣＲＳ送信が提供されてもよい：
−  システム情報ブロック（ＳＩＢ）を含むサブフレーム；
−  ページング機会；
−  スケジューリングされたサブフレーム；
−  ＤＲＸのＯＮ期間；
−  構成されたＭＰＤＤＣＨモニタリング；
−  ＲＡＣＨ機会（例えば、Ｍｓｇ２／４受信の期間中）；
−  ＭＰＤＣＣＨサーチスペースの外側のサブフレーム内のＣＳＩ測定のための、あり得る追加的なＣＲＳ。
【０１６４】
ＬＴＥ（Long Term Evolution）ネットワークでは、セル間干渉を最小化することで、良好なカバレッジ条件を経験しているユーザについてダウンリンクスループットを向上させるためにダウンリンクのより高次の変調（６４ＱＡＭ、２５６ＱＡＭ)を利用できる機会の増加を助けることができる。これは、リリース１５において、ＷＤの狭帯域／広帯域の外側でのＣＲＳ送信をミューティングすることにより達成される。しかしながら、ＣＲＳ信号は、常に中央の６ＰＲＢにおいて送信され得る。ＣＲＳミューティングは、次のシナリオを除いて適用され得る：
・  ＳＩＢを含むサブフレーム及びＳＩＢに先行するサブフレーム。ＷＤの無線周波数（ＲＦ）帯域幅にわたるＣＲＳ送信は、ＷＤが自動利得制御（ＡＧＣ）及びチャネル推定を行うために必要とされるであろう。ＳＩＢに先行するサブフレームの数は“ウォームアップ”ピリオドとも呼ばれる。
・  ページング機会及びページング機会に先立つサブフレーム。
・  スケジューリングされたサブフレーム及び事前のサブフレーム。
・  Ｍｓｇ２よりＸサブフレーム前からＤＲＸ構成がＷＤへ送信されるまでの接続セットアップの期間中。
・  ＤＲＸのＯＮ期間及び事前のサブフレーム。
【０１６５】
上で挙げた機会の前に生じる“ウォームアップ”ピリオドに加えて、“クールダウン”ピリオドの必要性もあり得る。ＷＤチャネル帯域幅全体にわたるＣＲＳ送信をその期間中に提供することもできる。
【０１６６】
ＣＲＳミューティングの概念の一例が図１７に示されており、中央の６ＰＲＢで常時ＣＲＳ送信が行われ得る一方で、時折（例えば、ＤＲＸのＯＮ期間、ウォームアップ及びクールダウンピリオドにおいて）ＷＤのＲＦ帯域幅上でのみＣＲＳが送信されることが示されている。
【０１６７】
ある実施形態において、ＭＴＣ向けのＣＲＳミューティングは、次の点についての定義を含み得る：
・  ＣＲＳの最小量；
・  ＣＲＳのためにＢＬ  ＷＤにより使用される狭帯域／広帯域の外側のＰＲＢの数に相当するＸの値。
【０１６８】
また、次のアップリンク送信機会に先立つ：
・  ランダムアクセス；
・  サウンディングリファレンス信号（ＳＲＳ）；
・  物理アップリンク制御チャネル（ＰＵＣＣＨ）／物理アップリンク共有チャネル（ＰＵＳＣＨ）。
【０１６９】
低減帯域幅（即ち、中央６ＰＲＢ）へのＣＲＳ送信の低減は、ＷＤのケイパビリティインジケーションに基づいて有効化されることができる。ＷＤ（例えば、ＷＤ１６）は、自身のＲＦ帯域幅がＷＤチャネル帯域幅（例えば、ＷＤ  ＤＬカテゴリＭ１について１．４ＭＨｚ）として特定された帯域幅と同一であるかに関する自身のケイパビリティを指し示し得る。例えば、自身の受信機の帯域幅が１．４ＭＨｚであるか否かをネットワーク（例えば、ネットワークノード１４）へシグナリングすることができる。その情報をネットワークにより使用して、ＣＲＳを全セル帯域幅にわたって送信すべきか又は低減されたセル帯域幅にわたって送信すべきかを決定することができる。これは、ＷＤがそうしたシグナリングを行うことのできるＣＯＮＮＥＣＴＥＤモードにおいて首尾良く動作し得る。
【０１７０】
しかしながら、１つの課題は、ＷＤの初期アクセス手続がＣＲＳミューティングによるインパクトを受けるのか、である。初期アクセスにおいて、ＷＤは、アクセスを試行しようとするセルが動作する時間−周波数リソースの知識を事前には有しない。そのセルのとりわけフレーム境界、時間／周波数情報といった必須の情報を含む同期信号が送信されるのは、中央周波数においてである。３ＧＰＰ仕様によれば、ネットワークノードは、１００ｋＨｚごと（チャネルラスタ）に中央周波数を設定することができる。しかし、ＷＤは、周波数帯域内の厳密な中央周波数の位置を知らず、よって、ＷＤは、典型的には周波数範囲をスキャンし、その範囲内で検知されたエネルギーを算出する。算出された電力が閾値を上回る場合、ＷＤは、その周波数領域においてＬＴＥチャネルが利用可能であると想定し、そして１００ＫＨｚの幅ごとに初期セルサーチの処理を開始する。
【０１７１】
いくつかの実施形態において、ここで議論されるような様々な理由で、全体的な初期アクセス手続はＣＲＳミューティングの機能によるインパクトをそれほど受けないであろう。第一に、留意すべきこととして、ＣＲＳ送信信号は概して中央周波数において常に送信される。これは、スペクトルのうちＷＤ  ＲＦがチューニングされた部分における新たなＬＴＥセルの存在を検知するために、ＷＤはレガシーの周波数センシング方法を依然として使用することができることを意味する。但し、検知されるエネルギーレベルは、全帯域幅のＣＲＳ送信が提供されるケースと比較するとより低い可能性がある。これは、例えば、新たなセルの存在を検知するために使用される閾値のいくつかの変更を要してもよい。
【０１７２】
第二に、セル帯域幅のうち様々な機会でＷＤによる受信が構成される部分にもＣＲＳ送信を提供することが考えられた。しかしながら、ＷＤはその段階ではシステム情報にアクセスしておらず又はそれを読み取っていないことから、ＷＤは帯域幅のうちＣＲＳが送信されるその部分にチューニングされない可能性がある。チューニングされたＲＦ帯域幅に依存して、ＷＤは、算出されるパワースペクトル密度（ＰＳＤ）における変動を検知し得るが、それは時間的に変化し得る。
【０１７３】
第三に、ＷＤが例えばウォームアップピリオドの期間中にアップリンク（ＵＬ）タイミングを導出することを可能にするランダムアクセス（ＲＡ）機会の前に、ネットワークノードは、ＷＤカテゴリＭ１／Ｍ２のＷＤ帯域幅にわたってＣＲＳ送信を提供するものと期待され得る。ネットワークは、セルＢＷのうちＷＤカテゴリＭ１／Ｍ２がアイドルモードにおいても構成される部分（例えば、ページング機会）を認識しているかもしれない。複数のランダムアクセス機会を、相異なる周期性と共に構成することができる。
【０１７４】
サブフレームごと（例えば、ＰＲＡＣＨコンフィグレーションインデックス＃１４）という高い頻度で、又は、２０ｍｓに１回（例えば、ＰＲＡＣＨコンフィグレーションインデックス＃０）という低い頻度で、ＲＡ機会を構成することができる。
【０１７５】
ＷＤカテゴリＭ１／Ｍ２が初期アクセス（例えば、帯域スキャニング）を行うことを支援するために、本開示のいくつかの実施形態は、２０ｍｓごとに１回のダウンリンク（ＤＬ）サブフレームにおける、全セルＢＷにわたるＣＲＳの送信を提供する。全ＢＷにわたるＣＲＳを伴うこのＤＬサブフレームは、使用される実際のＲＡ構成に関わらず、２０ｍｓごとに１回発生するＲＡ機会の前に送信され得る。これは、ＲＡ機会の前にＷＤカテゴリＭ１／Ｍ２のＢＷ上でのみＣＲＳが送信されることになり、それが２０ｍｓよりも短い周期で生じることを意味する。
【０１７６】
全ＢＷ上でのＣＲＳ送信（例えば、２０ｍｓごと）及び１０ｍｓごとのＷＤ  ＢＷ上でのＣＲＳ送信の一例が図１８に示されている。この例では、フレームごとに１回セル内でＲＡが生じることを前提とする。この例に対応するコードは以下のものを含み得る：
【０１７７】
【表１】
0006977151.tif 000002
【０１７８】
技術仕様（ＴＳ）３６．２１１のテーブル５．７．１−２が議論の目的のために以下に示される。
【０１７９】
【表２】
0006977151.tif 000003
【０１８０】
考察＃１：ＣＲＳは、２０ｍｓごとに少なくとも１回のＤＬサブフレームにおいてＢＷ全体にわたって送信され、それは例えば２０ｍｓごとに生じるＲＡ機会の前である。
【０１８１】
要するに、ＣＲＳ送信がある帯域幅へ低減される場合には、カテゴリＭ１／Ｍ２のデバイスについて初期アクセスはそれほどインパクトを受けないかもしれず、そうしたデバイスへの帯域幅全体にわたる照射（light up）は異なる機会で周期的に行われる。この周期的な照射は、これらデバイスが初期のセルサーチ又は帯域スキャニングを行うことを助けるはずである。
【０１８２】
考察＃２：セル内でＣＲＳミューティングが採用される場合には、カテゴリＭ１／Ｍ２のＷＤについて初期アクセスに対する有意なインパクトは予見されない。
【０１８３】
本開示は、ＣＲＳミューティングが目標のセルにおいて適用される場合の、周波数スキャニングを用いるＷＤ初期アクセスのための配置を含む。ＣＲＳミューティングの下で現行の手続が作動してもよいことが考察されてきた。
・  考察＃１：ＣＲＳは、２０ｍｓごとに少なくとも１回のＤＬサブフレームにおいてＢＷ全体にわたって送信され、それは例えば２０ｍｓごとに生じるＲＡ機会の前である。
・  考察＃２：セル内でＣＲＳミューティングが採用される場合には、カテゴリＭ１／Ｍ２のＷＤについてＷＤ初期アクセスに対する有意なインパクトは予見されない。
【０１８４】
当業者により理解されるであろうように、ここで説明した概念は、方法、データ処理システム及び／又はコンピュータプログラムプロダクトとして具現化されてよい。したがって、ここで説明した概念は、全体としてハードウェアでの実施形態、全体としてソフトウェアでの実施形態、又は、ソフトウェア及びハードウェアの側面を組み合わせた実施形態の形式をとってよく、それら全てが概して“回路”又は“モジュール”としてここで言及されている。さらに、本開示は、コンピュータにより実行可能なコンピュータプログラムを媒体において具現化した有形のコンピュータ使用可能な当該記憶媒体上のコンピュータプログラムプロダクトの形式をとってもよい。ハードディスク、ＣＤ−ＲＯＭ、電子記憶デバイス、光学記憶デバイス、又は磁気記憶デバイスを含めて、任意の適した有形のコンピュータ読取可能な媒体が利用されてよい。
【０１８５】
いくつかの実施形態は、フローチャートの例示、並びに／又は方法、システム及びコンピュータプログラムプロダクトのブロック図を参照しながらここで説明されている。理解されるであろうこととして、フローチャートの例示及び／又はブロック図の各ブロック、並びに、フローチャートの例示及び／又はブロック図におけるブロックの組み合わせを、コンピュータプログラム命令群により実装することができる。それらコンピュータプログラム命令群は、（特殊目的のコンピュータを生み出すようにするための）汎用コンピュータ、特殊目的のコンピュータ又は他のプログラム可能なデータ処理装置のプロセッサへ提供されてマシンを生み出し、それにより、コンピュータ又は他のプログラム可能なデータ処理装置のプロセッサを介して稼働する上記命令群が、フローチャート及び／又はブロック図の１つ若しくは複数のブロックにおいて特定された機能／動作を実装するための手段を生成する。
【０１８６】
それらコンピュータプログラム命令群は、コンピュータ読取可能なメモリ又は記憶媒体内に記憶されてもよく、コンピュータ読取可能なメモリ内に記憶される命令群がフローチャート及び／又はブロック図の１つ若しくは複数のブロックにおいて特定された機能／動作を実装する命令手段を含む製造の品目を生み出すように、コンピュータ又は他のプログラム可能なデータ処理装置に特定のやり方で機能するように指示することができる。
【０１８７】
また、コンピュータプログラム命令群は、コンピュータ又は他のプログラム可能な装置上で一連の動作ステップを実行させるように、当該コンピュータ又は他のプログラム可能なデータ処理装置へロードされて、コンピュータ実装された処理を生み出してもよく、それにより、コンピュータ又は他のプログラム可能な装置上で稼働するそれら命令群は、フローチャート及び／又はブロック図の１つ若しくは複数のブロックにおいて特定された機能／動作を実装するためのステップを提供する。
【０１８８】
理解されるべきこととして、ブロック内に記述した機能／動作は、動作例において記述した順序から外れて生じてもよい。例えば、連続的に示した２つのブロックが実際には実質的に並行的に実行さてもよく、又は、それらブロックは関係する機能性／動作に依存して逆の順序で実行されることがあってもよい。図のうちのいくつかは通信の主要な方向を示すための通信経路上の矢印を含むものの、理解されるべきこととして、描かれた矢印に対して反対方向に通信が生じてもよい。
【０１８９】
ここで説明した概念の動作を遂行するためのコンピュータプログラムコードは、Ｊａｖａ（登録商標）又はＣ＋＋といったオブジェクト指向プログラミング言語で書かれてもよい。しかしながら、本開示の動作を遂行するためのコンピュータプログラムコードは、“Ｃ”プログラミング言語といった旧来の手続型のプログラミング言語で書かれてもよい。そのプログラムコードは、全体としてユーザのコンピュータ上で、部分的にユーザのコンピュータ上で、スタンドアローンのソフトウェアパッケージとして、部分的にユーザのコンピュータ上で及び部分的にリモートコンピュータ上で、又は、全体としてリモートコンピュータ上で稼働してよい。後者のシナリオにおいて、リモートコンピュータは、ＬＡＮ（local area network）若しくはＷＡＮ（wide area network）を通じてユーザのコンピュータへ接続されてもよく、又は、その接続は、（例えば、インターネットサービスプロバイダを用いてインターネットを通じて）外部コンピュータへなされてもよい。
【０１９０】
多くの異なる実施形態が、上の説明及び図面に関連してここで開示されている。理解されるであろうこととして、それら実施形態のあらゆる組み合わせ及び副次的な組み合わせをそのまま記述し及び説明することは、過度に冗長的で分かりにくいはずである。したがって、全ての実施形態は、いかなる手法で及び／又は組み合わせで組み合わされてもよく、本明細書は、図面を含めて、ここで説明した実施形態の全ての組み合わせ及び副次的な組み合わせについて並びにそれらを活用するやり方及び処理について完全に記述した説明を構成するものと解釈されるものとし、そうしたいかなる組み合わせ又は副次的な組み合わせに関する請求項をもサポートするものとする。
【０１９１】
ここまでの説明において使用されている可能性のある略語は次を含む：
・ＤＭＲＳ          復調リファレンス信号
・ＣＲＳ            セル固有リファレンス信号
・ＭＢＳＦＮ        マルチブロードキャスト単一周波数ネットワーク
・ＲＳ              リファレンス信号
・ＣＳＩ−ＲＳ      チャネル状態情報リファレンス信号
・ＮＲＳ            狭帯域リファレンス信号
・ＮＰＳＳ          狭帯域ＰＳＳ
・ＮＳＳＳ          狭帯域ＳＳＳ
・ＰＲＳ            測位リファレンス信号
・ＰＴ−ＲＳ        位相追跡リファレンス信号
・ＳＳＢ            同期信号ブロック
・ＮＲ              新無線
・ＡＣＫ            確認応答
・ＡＤＣ            アナログ−デジタル変換
・ＡＧＣ            自動利得制御
・ＡＮＲ            自動ネイバ関係
・ＡＰ              アクセスポイント
・ＢＣＨ            ブロードキャストチャネル
・ＢＬＥＲ          ブロックエラーレート
・ＢＳ              基地局
・ＢＳＣ            基地局コントローラ
・ＢＴＳ            基地送受信局
・ＣＡ              キャリアアグリゲーション
・ＣＣ              コンポーネントキャリア
・ＣＧ              セルグループ
・ＣＧＩ            セルグローバル識別子
・ＣＰ              サイクリックプレフィクス
・ＣＰＩＣＨ        共通パイロットチャネル
・ＣＳＧ            クローズド加入者グループ
・ＤＡＳ            分散アンテナシステム
・ＤＣ              デュアルコネクティビティ
・ＤＦＴ            離散フーリエ変換
・ＤＬ              ダウンリンク
・ＤＬ−ＳＣＨ      ダウンリンク共有チャネル
・ＤＲＸ            不連続受信
・ＥＡＲＦＣＮ      進化型絶対無線周波数チャネル番号
・ＥＣＧＩ          進化型ＣＧＩ
・ｅＮＢ            ｅＮｏｄｅＢ
・ＦＤＤ            周波数分割複信
・ＦＦＴ            高速フーリエ変換
・ＨＤ−ＦＤＤ      半二重ＦＤＤ
・ＨＯ              ハンドオーバ
・Ｍ２Ｍ            マシンツーマシン
・ＭＡＣ            メディアアクセス制御
・ＭＢＢ            モバイルブロードバンド
・ＭＣＧ            マスタセルグループ
・ＭＤＴ            ドライブテスト最小化
・ＭｅＮＢ          マスタｅＮｏｄｅＢ
・ＭＩＢ            マスタ情報ブロック
・ＭＭＥ            モビリティ管理エンティティ
・ＭＰＤＣＣＨ      マシンタイプ物理ダウンリンク制御チャネル
・ＭＲＴＤ          最大受信タイミング差
・ＭＳＲ            マルチ標準無線
・ＮＡＣＫ          否定確認応答
・ＮＰＤＣＣＨ      狭帯域物理ダウンリンク制御チャネル
・ＯＦＤＭ          直交周波数分割多重
・ＳＩ              システム情報
・ＰＣＣ            プライマリコンポーネントキャリア
・ＰＣＩ            物理セルアイデンティティ
・ＰＣｅｌｌ        プライマリセル
・ＰＣＧ            プライマリセルグループ
・ＰＣＨ            ページングチャネル
・ＰＤＣＣＨ        物理ダウンリンク制御チャネル
・ｅＰＤＣＣＨ      拡張物理ダウンリンク制御チャネル
・ＰＤＵ            プロトコルデータユニット
・ＰＧＷ            パケットゲートウェイ
・ＰＨＩＣＨ        物理ＨＡＲＱインジケーションチャネル
・ＰＬＭＮ          公衆地上移動体ネットワーク
・ＰＳＣｅｌｌ      プライマリＳＣｅｌｌ
・ＰＳＣ            プライマリサービングセル
・ＰＳＳ            プライマリ同期信号
・ＰＲＡＣＨ        物理ランダムアクセスチャネル
・ＲＡＣＨ          ランダムアクセスチャネル
・ＲＡＴ            無線アクセス技術
・ＲＦ              無線周波数
・ＲＬＭ            無線リンク管理
・ＲＮＣ            無線ネットワークコントローラ
・ＲＲＣ            無線リソース制御
・ＲＲＨ            リモート無線ヘッド
・ＲＲＵ            リモート無線ユニット
・ＲＳＣＰ          受信信号符号電力
・ＲＳＲＰ          リファレンス信号受信電力
・ＲＳＲＱ          リファレンス信号受信品質
・ＲＳＳＩ          受信信号強度インジケーション
・ＲＳＴＤ          リファレンス信号時間差
・ＲＶ              冗長性バージョン
・Ｒｘ              受信機
・ＳＣＣ            セカンダリコンポーネントキャリア
・ＳＣｅｌｌ        セカンダリセル
・ＳＣＧ            セカンダリセルグループ
・ＳｅＮＢ          セカンダリｅＮｏｄｅＢ
・ＳＦＮ            システムフレーム番号
・ＳＧＷ            シグナリングゲートウェイ
・ＳＩ              システム情報
・ＳＩＢ            システム情報ブロック
・ＳＩＢ１          システム情報ブロックタイプ１
・ＳＩＮＲ          信号対干渉及び雑音比
・ＳＯＮ            自己組織化ネットワーク
・ＳＳＣ            セカンダリサービングセル
・ＳＳＳ            セカンダリ同期信号
・ＴＡ              タイミングアドバンス
・ＴＡＧ            タイミングアドバンスグループ
・ＴＤＤ            時分割複信
・Ｔｘ              送信機
・ＵＡＲＦＣＮ      ＵＭＴＳ絶対無線周波数チャネル番号
・ＵＥ              ユーザ機器
・ＵＬ              アップリンク
・ＷＤ              ワイヤレスデバイス
【０１９２】
当業者により認識されるであろうこととして、ここで説明した実施形態は、これまでに具体的に示し説明したものには限定されない。加えて、上で別段の言及がなされていない限り、添付図面の全ては等尺ではないことに留意すべきである。上の教示を踏まえて、次の特許請求の範囲のスコープから逸脱することなく、多様な修正及び変形が可能である。
【図１】
0006977151.tif 000004
【図２】
0006977151.tif 000005
【図３】
0006977151.tif 000006
【図４】
0006977151.tif 000007
【図５】
0006977151.tif 000008
【図６】
0006977151.tif 000009
【図７】
0006977151.tif 000010
【図８】
0006977151.tif 000011
【図９】
0006977151.tif 000012
【図１０】
0006977151.tif 000013
【図１１】
0006977151.tif 000014
【図１２】
0006977151.tif 000015
【図１３】
0006977151.tif 000016
【図１４】
0006977151.tif 000017
【図１５】
0006977151.tif 000018
【図１６】
0006977151.tif 000019
【図１７】
0006977151.tif 000020
【図１８】
0006977151.tif 000021